(57)【要約】　　　（修正有）【課題】入力装置からの入力信号のある場合のみ、電子装置を作動させ、入力信号の終了後、電子装置が一時休止ではなく完全にシャットダウンさせることにより省電力化する。【解決手段】入力信号のトリガにより、トリガモジュール４をトリガさせ、トリガモジュールがシステムボードモジュール電源スイッチ７をオンにさせるようにし、電源モジュール６がシステムボードモジュール電源スイッチによりマイクロプロセッサ又は中央処理装置に給電する。入力信号が終了した場合、システムボードモジュール電源スイッチをオンにすることができなくなり、電源がマイクロプロセッサ又は中央処理装置に転送できなくなり、マイクロプロセッサ又は中央処理装置が一時休止（Ｓｌｅｅｐ　Ｍｏｄｅ）ではなく完全なシャットダウン状態となるようにすることで、省電力化を図れる。【選択図】図２
2004139580.tif 000002
【特許請求の範囲】
【請求項１】
　ユーザが信号を入力するための入力ユニットと、該入力ユニットからの入力信号を受信し、該入力信号のトリガにより制御パルスを生成するためのトリガモジュールと、該トリガモジュールからの制御パルスを受信し、該制御パルスによりオンにされ、接続された電源モジュールが給電するようにするためのシステムボードモジュール電源スイッチと、前記電源モジュールのシステムボードモジュール電源スイッチによる給電を受け取り、処理装置が作動するようにするための該処理装置を有するシステムボードモジュールとを備えることを特徴とする、省電力化電子装置。
【請求項２】
　前記処理装置から生成された信号を受信し、該信号によりオンにされ、接続された前記電源モジュールが給電し、又は前記信号によりシャットダウン状態となり、前記電源モジュールが給電できなくなるようにするためのディスプレイ制御スイッチと、前記電源モジュールのディスプレイ制御スイッチによる給電を受け取り作動することで、前記処理装置により処理されたデータを受け取り、表示させるようにするための表示ユニットとをさらに備えることを特徴とする、請求項１に記載の省電力化電子装置。
【請求項３】
　前記システムボードモジュールに接続された通信ポートと、前記システムボードモジュールに接続されたブックカードインタフェースとをさらに備え、前記システムボードモジュールはさらにメモリモジュールを有し、前記システムボードモジュールのマイクロプロセッサがユーザに応じて前記入力ユニット又は前記通信ポートのいずれかの入力方式により異なる信号を入力するようにし、前記省電力化電子装置が受信された入力信号に基づき前記メモリモジュールにおけるデータとファイルをそれぞれ読み取り、前記通信ポートからの入力データとファイルを読み取り、及び前記ブックカードインタフェースにより前記省電力化電子装置に挿入されたブックカードのデータとファイルを読み取り、読み取られたデータとファイルを前記メモリモジュール内に保存するようにできることを特徴とする、請求項１に記載の省電力化電子装置。
【請求項４】
　表示ユニットをさらに有し、前記読み取られたデータとファイルを前記表示ユニットに表示させることを特徴とする、請求項３に記載の省電力化電子装置。
【請求項５】
　前記処理装置が作動する場合、制御信号を生成して前記トリガモジュールに転送して、前記制御信号により前記システムボードモジュール電源スイッチがオン状態に維持され、前記電源モジュールが安定的に給電することを特徴とする、請求項２に記載の省電力化電子装置。
【請求項６】
　前記入力信号が終了した場合、前記トリガモジュールから生成された制御パルスと前記処理装置から生成された制御信号をも終了させるようにすることで、前記システムボードモジュール電源スイッチがシャットダウン状態となり、前記処理装置はさらに信号を生成して前記ディスプレイ制御スイッチに転送させ、前記信号により前記ディスプレイ制御スイッチがシャットダウン状態となるようにすることで、前記電源モジュールが前記システムボードモジュールと前記表示ユニットに給電できなくなり、前記処理装置と前記表示ユニットがシャットダウン状態となり作動できないようにすることを特徴とする、請求項５に記載の省電力化電子装置。
【請求項７】
　前記トリガモジュールは、前記入力ユニットからの入力信号を受信し、前記入力信号のトリガにより制御パルスを生成して、前記制御パルスを接続されたロジック制御回路に転送するようにするトリガ回路と、前記トリガ回路からの制御パルスを受け取ることで、前記システムボードモジュール電源スイッチをオンにさせ、接続された前記電源モジュールが給電するようにするロジック制御回路とを備えることを特徴とする、請求項１に記載の省電力化電子装置。
【請求項８】
　前記処理装置はマイクロプロセッサ及び中央処理装置のいずれか１つであることを特徴とする、請求項１に記載の省電力化電子装置。
【請求項９】
　前記トリガモジュールはマイクロプロセッサであり、前記システムボードモジュールの処理装置は中央処理装置であることを特徴とする、請求項７に記載の省電力化電子装置。
【請求項１０】
　前記省電力化電子装置は携帯情報端末、電子書籍リーダー、デスクトップパソコン及びノートブックパソコンのいずれか１つであることを特徴とする、請求項１に記載の省電力化電子装置。
【請求項１１】
　前記入力ユニットはキーボード、タッチパネル、マウス、プッシュキー及び赤外線入力装置のいずれか１つであることを特徴とする、請求項１に記載の省電力化電子装置。
【請求項１２】
　前記表示ユニットは陰極線管ディスプレイ、液晶ディスプレイ、コレステリック液晶ディスプレイ、快速モード液晶ディスプレイ、電子シート型ディスプレイ、電子インク型ディスプレイ、ＳＴＮ液晶ディスプレイ及びＴＦＴ液晶ディスプレイのいずれか１つであることを特徴とする、請求項２に記載の省電力化電子装置。
【請求項１３】
　少なくとも入力ユニットと、トリガモジュールと、処理装置を有するシステムボードモジュールと、電源モジュールと、システムボードモジュール電源スイッチとを有する省電力化電子装置に応用される省電力化方法において、
　（１）　信号を前記入力ユニットに入力し、前記入力信号を前記トリガモジュールに転送させるステップと、
　（２）　前記入力ユニットからの入力信号により、前記トリガモジュールをトリガさせ制御パルスを生成させ、該制御パルスを前記システムボードモジュール電源スイッチに転送させるステップと、
　（３）　前記トリガモジュールからの制御パルスにより、前記システムボードモジュール電源スイッチをオンにさせ、接続された前記電源モジュールが給電することで、前記システムボードモジュールが前記電源モジュールの前記システムボードモジュール電源スイッチによる給電を受け取り、その処理装置が作動するようにするステップと、
　（４）　前記処理装置が作動する場合、制御信号を生成し前記トリガモジュールに転送して、前記制御信号により前記システムボードモジュール電源スイッチがオン状態に維持され、前記電源モジュールが安定的に給電することで、前記処理装置が作動できるようにするステップと、
　（５）　前記入力信号が終了した場合、前記トリガモジュールから生成された制御パルスと前記処理装置から生成された制御信号をも終了させるようにすることで、前記システムボードモジュール電源スイッチがシャットダウン状態となり、前記電源モジュールが前記システムボードモジュールに給電できなくなることで、前記処理装置がシャットダウン状態となり作動できないようにするステップとを備えることを特徴とする、電子装置に用いられる省電力化方法。
【請求項１４】
　前記トリガモジュールは、前記入力ユニットからの入力信号を受信し、前記入力信号のトリガにより制御パルスを生成して、前記制御パルスを接続されたロジック制御回路に転送するようにするトリガ回路と、前記トリガ回路からの制御パルスを受け取ることで、前記システムボードモジュール電源スイッチをオンにさせ、接続された前記電源モジュールが給電できるようにするロジック制御回路とを備えることを特徴とする、請求項１３に記載の省電力化方法。
【請求項１５】
　前記処理装置はマイクロプロセッサ及び中央処理装置のいずれか１つであることを特徴とする、請求項１３に記載の省電力化方法。
【請求項１６】
　前記トリガモジュールはマイクロプロセッサであり、前記システムボードモジュールの処理装置は中央処理装置であることを特徴とする、請求項１４に記載の省電力化方法。
【請求項１７】
　前記省電力化電子装置は携帯情報端末、電子書籍リーダー、デスクトップパソコン及びノートブックパソコンのいずれか１つであることを特徴とする、請求項１３に記載の省電力化方法。
【請求項１８】
　前記入力ユニットはキーボード、タッチパネル、マウス、プッシュキー及び赤外線入力装置のいずれか１つであることを特徴とする、請求項１３に記載の省電力化方法。
【請求項１９】
　前記電子装置はさらにブックカードインタフェースを備えており、前記ステップ（３）は前記電子装置が前記ブックカードインタフェースにより前記電子装置に挿入されたブックカードのファイルを読み取ることをさらに備えることを特徴とする、請求項１３に記載の省電力化方法。
【請求項２０】
　前記電子装置はさらに通信ポートを備えており、前記ステップ（３）は前記電子装置が前記通信ポートから入力されたファイルを読み取ることができることをさらに備えることを特徴とする、請求項１３に記載の省電力化方法。
【請求項２１】
　前記電子装置が読み取ったファイルは電子書籍ファイルであることを特徴とする、請求項１９又は請求項２０に記載の省電力化方法。
【請求項２２】
　少なくとも入力ユニットと、トリガモジュールと、処理装置を有するシステムボードモジュールと、電源モジュールと、システムボードモジュール電源スイッチと、ディスプレイ制御スイッチと、表示ユニットとを有する省電力化電子装置に応用される省電力化方法において、
　（１）　信号を前記入力ユニットに入力し、前記入力信号を前記トリガモジュールに転送させるステップと、
　（２）　前記入力ユニットからの入力信号により、前記トリガモジュールをトリガさせ制御パルスを生成させ、該制御パルスを前記システムボードモジュール電源スイッチに転送させるステップと、
　（３）　前記トリガモジュールからの制御パルスにより、前記システムボードモジュール電源スイッチをオンにさせ、接続された前記電源モジュールが給電することで、前記システムボードモジュールが前記電源モジュールの前記システムボードモジュール電源スイッチによる給電を受け取り、その処理装置が作動するようにするステップと、
　（４）　前記処理装置が作動する場合、制御信号を生成し前記トリガモジュールに転送して、前記制御信号により前記システムボードモジュール電源スイッチがオン状態に維持され、前記電源モジュールが安定的に給電することで、前記処理装置が作動できるようにしており、前記処理装置が作動する場合、さらに信号を生成し前記ディスプレイ制御スイッチに転送して、前記信号により前記ディスプレイ制御スイッチをオンにさせ、接続された前記電源モジュールが前記表示ユニットに給電し、前記表示ユニットが前記処理装置により処理されたデータの作動を受け取り、表示させるようにするステップと、
　（５）　前記入力信号が終了した場合、前記トリガモジュールから生成された制御パルスと前記処理装置から生成された制御信号をも終了させるようにすることで、前記システムボードモジュール電源スイッチがシャットダウン状態となり、前記処理装置はさらに信号を生成し前記ディスプレイ制御スイッチに転送して、前記信号により前記ディスプレイ制御スイッチがシャットダウン状態となるようにすることで、前記電源モジュールが前記システムボードモジュールと前記表示ユニットに給電できなくなり、前記処理装置と前記表示ユニットがシャットダウン状態となり作動できないようにするステップとを備えることを特徴とする、電子装置に用いられる省電力化方法。
【請求項２３】
　前記トリガモジュールは、前記入力ユニットからの入力信号を受信し、前記入力信号のトリガにより制御パルスを生成して、前記制御パルスを接続されたロジック制御回路に転送するようにするトリガ回路と、前記トリガ回路からの制御パルスを受け取ることで、前記システムボードモジュール電源スイッチをオンにさせ、接続された前記電源モジュールが給電できるようにするロジック制御回路とを備えることを特徴とする、請求項２２に記載の省電力化方法。
【請求項２４】
　前記処理装置はマイクロプロセッサ及び中央処理装置のいずれか１つであることを特徴とする、請求項２２に記載の省電力化方法。
【請求項２５】
　前記トリガモジュールはマイクロプロセッサであり、前記システムボードモジュールの処理装置は中央処理装置であることを特徴とする、請求項２３に記載の省電力化方法。
【請求項２６】
　前記省電力化電子装置は携帯情報端末、電子書籍リーダー、デスクトップパソコン及びノートブックパソコンのいずれか１つであることを特徴とする、請求項２２に記載の省電力化方法。
【請求項２７】
　前記入力ユニットはキーボード、タッチパネル、マウス、プッシュキー及び赤外線入力装置のいずれか１つであることを特徴とする、請求項２２に記載の省電力化方法。
【請求項２８】
　前記表示ユニットは陰極線管ディスプレイ、液晶ディスプレイ、コレステリック液晶ディスプレイ、快速モード液晶ディスプレイ、電子シート型ディスプレイ、電子インク型ディスプレイ、ＳＴＮ液晶ディスプレイ及びＴＦＴ液晶ディスプレイのいずれかの１つであることを特徴とする、請求項２２に記載の省電力化方法。
【請求項２９】
　前記電子装置はさらにブックカードインタフェースを備えており、前記ステップ（３）は前記電子装置が前記ブックカードインタフェースにより前記電子装置に挿入されたブックカードのファイルを読み取ることをさらに備えることを特徴とする、請求項２２に記載の省電力化方法。
【請求項３０】
　前記電子装置はさらに通信ポートを備えており、前記ステップ（３）は前記該電子装置が前記通信ポートから入力されたファイルを読み取ることができることをさらに備えることを特徴とする、請求項２２に記載の省電力化方法。
【請求項３１】
　前記電子装置が読み取ったファイルは電子書籍ファイルであることを特徴とする、請求項２９又は請求項３０に記載の省電力化方法。
【発明の詳細な説明】
【技術分野】
【０００１】
　本発明は、省電力化電子装置及び電子装置に用いられる省電力化方法に関し、特にマイクロプロセッサ又は中央処理装置を有する電子装置に関するものであって、マイクロプロセッサ又は中央処理装置が入力信号のある場合、フルスピードで作動するようにし、かつ、入力信号の終了後、一時休止ではなく完全にシャットダウンとなり、省電力化を図れるようにする電子装置に関する。
【背景技術】
【０００２】
　従来、マイクロプロセッサ、又は中央処理装置を有する電子装置１は、図１に示すように、例えば、デスクトップパソコン（Ｐｅｒｓｏｎａｌ　Ｃｏｍｐｕｔｅｒ）、ノートブックパソコン（Ｎｏｔｅｂｏｏｋ　Ｃｏｍｐｕｔｅｒ）、携帯情報端末（Ｐｅｒｓｏｎａｌ　Ｄｉｇｉｔａｌ　Ａｓｓｉｓｔａｎｔ、ＰＤＡ）、電子書籍リーダー（Ｅ−ｂｏｏｋ　Ｒｅａｄｅｒ）等があり、正常な操作モードにおいて、電子装置１のマイクロプロセッサ又は中央処理装置を有するシステム制御ユニット１１は、電源ユニット１２からの電力エネルギーの供給を得て、フルスピード作動の状態にある。それと同時に、表示ユニット１３も電源ユニット１２からの電力エネルギーの供給を得て、画面を表示させることができる。表示ユニット１３は、陰極線管（Ｃａｔｈｏｄｅ−Ｒａｙ　Ｔｕｂｅ、ＣＲＴ）ディスプレイ又は液晶ディスプレイ（Ｌｉｑｕｉｄ　Ｃｒｙｓｔａｌ　Ｄｉｓｐｌａｙ、ＬＣＤ）であっても良い。入力ユニット１４、例えば、キーボード、タッチパネル、マウス、プッシュキー等は、入力信号をシステム制御ユニット１１に伝送していない場合、或はシステム制御ユニット１１が所定の作業を終えた後に、電子装置１がアイドル（ｉｄｌｅ）状態となる。省電力化のために、システム制御ユニット１１は表示ユニット１３に供給された電量をアイドル状態に低減させ、或は電源をオフ（Ｓｈｕｔ　ｄｏｗｎ）にして、マイクロプロセッサ又は中央処理装置及び電子装置１がスリープモード（ｓｌｅｅｐ　ｍｏｄｅ）状態となるようにする。一方、入力ユニット１４は信号をシステム制御ユニット１１に転送する場合、システム制御ユニット１１がフルスピード作動の状態に戻り、表示ユニット１３が表示画面の状態に回復する。
【０００３】
　電子装置１がデスクトップパソコン（Ｐｅｒｓｏｎａｌ　Ｃｏｍｐｕｔｅｒ）である場合、都市電力が電力源であるため、電力の供給が不足することはないが、システム制御ユニット１１がスリープ状態にある場合の電力消費量を減少させることは、デスクトップパソコン（Ｐｅｒｓｏｎａｌ　Ｃｏｍｐｕｔｅｒ）の放熱問題の改善に寄与する。電子装置１がノートブックパソコンであって、予備電池の電源を使用する場合において、システム制御ユニット１１のスリープ状態での電力消費量を減少できれば、ノートブックパソコンの予備電池電源の供給時間の増加、ノートブックパソコンの放熱問題の改善に寄与することができる。電子装置１が携帯情報端末（Ｐｅｒｓｏｎａｌ　Ｄｉｇｉｔａｌ　Ａｓｓｉｓｔａｎｔ）又は電子書籍リーダーである場合、スリープの状態において、電力消費量が数十又は数百ミリアンペア（ｍＡ）に下げられるが、スリープ状態でのマイクロプロセッサ又は中央処理装置の電源をさらに完全にオフして、スリープ状態ではなく完全なシャットダウン状態となるようにできれば、電子装置１の作動時間を一段と増加することができる。
【０００４】
　また、従来の携帯情報端末（Ｐｅｒｓｏｎａｌ　Ｄｉｇｉｔａｌ　Ａｓｓｉｓｔａｎｔ）又は電子書籍リーダー等の電子装置は、あるべき機能が既に出荷時に設定済みであり、ユーザがシステムの既存機能を増加又は修正しようとする場合、読取専用メモリモジュール（ＲＯＭ　ｍｏｄｕｌｅ）を取り替えるか、或は、マイクロプロセッサ又は中央処理装置を含めたシステム制御ユニット１１におけるメモリを修正するしかない。しかし、これらの動作は、一般のユーザにとっては、非常に不便である。仮にプログラムを含めた機能ブックカードのみ挿入して、或は通信ポートを通じてプログラムをメモリにロードして、システムの既存機能を増加又は修正することができれば、ユーザにとっては極めて便利である。
【０００５】
　したがって、上記の従来のデスクトップパソコン、ノートブックパソコン、携帯情報端末、電子書籍リーダー等の電子装置がシステムのスリープ状態において、システム電源消費の電流が数十又は数百ミリアンペア（ｍＡ）に下がるが、如何にマイクロプロセッサ又は中央処理装置の電源を完全にオフにして、システムの休止状態での電力消費量をさらに低減させ、かつ、プログラムを含めた機能ブックカードのみ挿入した状態で、或は通信ポートを通じてプログラムをメモリにロードして、システムの既存機能を増加又は修正することが、実に解決すべき課題である。
【発明の開示】
【発明が解決しようとする課題】
【０００６】
　本発明の目的は、入力信号のある場合のみ、マイクロプロセッサ又は中央処理装置がフルスピードで作動し、入力信号の終了後、マイクロプロセッサ又は中央処理装置が一時休止ではなく完全にシャットダウンとなるようにした省電力化電子装置及び電子装置に用いられる省電力化方法を提供することにある。
【０００７】
　また、本発明の他の目的は、入力信号のトリガにより、トリガモジュールをトリガさせ制御パルスを生成させ、電源モジュールが電源をマイクロプロセッサ又は中央処理装置に供給し、マイクロプロセッサ又は中央処理装置がフルスピードで作動するようにし、入力信号が終了した場合、電源がマイクロプロセッサ又は中央処理装置に転送されなくなり、かつ、マイクロプロセッサ又は中央処理装置が一時休止ではなく完全にシャットダウンとなるようにした省電力化電子装置及び電子装置に用いられる省電力化方法を提供することにある。
【０００８】
　上記やその他の目的に鑑みて、本発明は省電力化電子装置及び電子装置に用いられる省電力化方法を提供している。
【課題を解決するための手段】
【０００９】
　本発明に係る省電力化電子装置は、
　ユーザが信号を入力するための入力ユニットと、
　該入力ユニットからの入力信号を受信し、該入力信号のトリガにより制御パルスを生成するためのトリガモジュールと、
　該トリガモジュールからの制御パルスを受信し、該制御パルスによりオンにされ、接続された電源モジュールが給電できるようにするためのシステムボード（ｓｙｓｔｅｍ　ｂｏａｒｄ）モジュール電源スイッチと、
　前記電源モジュールのシステムボードモジュール電源スイッチによる給電を受け取り、処理装置が作動するようにするためのシステムボードモジュールと、
　前記処理装置から生成された信号を受信し、該信号によりオンにされ、接続された前記電源モジュールが給電し、又は前記信号によりシャットダウン状態となり、前記電源モジュールが給電できなくなるようにするためのディスプレイ制御スイッチと、
　前記電源モジュールのディスプレイ制御スイッチによる給電を受け取り作動することで、前記処理装置により処理されたデータを受け取り、表示させるようにするための表示ユニットとを備える。
【００１０】
　上記の省電力化電子装置に用いられる省電力化方法は、
　（１）　信号を入力ユニットに入力し、前記入力信号をトリガモジュールに転送させるステップと、
　（２）　該入力ユニットからの入力信号により、前記トリガモジュールをトリガさせ制御パルスを生成させ、該制御パルスを前記システムボードモジュール電源スイッチに転送させるステップと、
　（３）　前記トリガモジュールからの制御パルスにより、前記システムボードモジュール電源スイッチをオンにさせ、接続された前記電源モジュールが給電することで、前記システムボードモジュールが前記電源モジュールのシステムボードモジュール電源スイッチによる給電を受け取り、その処理装置が作動するようにするステップと、
　（４）　前記処理装置が作動する場合、制御信号を生成して前記トリガモジュールに転送し、前記制御信号により前記システムボードモジュール電源スイッチがオン状態に維持され、前記電源モジュールが安定的に給電することで、前記処理装置が作動できるようにしており、前記該処理装置が作動する場合、さらに信号を生成して前記ディスプレイ制御スイッチに転送し、前記信号により前記ディスプレイ制御スイッチをオンにさせ、接続された前記電源モジュールが前記表示ユニットに給電し、前記表示ユニットが前記処理装置により処理されたデータの作動を受け取り、表示させるようにするステップと、
　（５）　前記入力信号が終了した場合、前記トリガモジュールから生成された制御パルスと前記処理装置から生成された制御信号をも終了させるようにすることで、前記システムボードモジュール電源スイッチがシャットダウン状態となり、前記処理装置はさらに信号を生成して前記ディスプレイ制御スイッチに転送し、前記信号により前記ディスプレイ制御スイッチがシャットダウン状態となるようにすることで、前記電源モジュールが前記システムボードモジュールと前記表示ユニットに給電できなくなり、前記処理装置と前記表示ユニットがシャットダウン状態となり作動できないようにするステップとを備える。
【００１１】
　上記の省電力化電子装置は、携帯情報端末、電子書籍リーダー、デスクトップパソコン、ノートブックパソコン等であっても良い。入力ユニットは、キーボード、タッチパネル、マウス、プッシュキー、赤外線入力装置等であっても良い。表示ユニットは、陰極線管モニタ、液晶ディスプレイ、コレステリック（Ｃｈｏｌｅｓｔｅｒｉｃ）液晶ディスプレイ、快速モード（Ｆａｓｔ　Ｍｏｄｅ）液晶ディスプレイ、電子シート（Ｅ−ｐａｐｅｒ）型ディスプレイ、電子インク（Ｅ−ｉｎｋ）型ディスプレイ、ＳＴＮ液晶ディスプレイ、ＴＦＴ液晶ディスプレイ等であっても良い。
【００１２】
　上記の省電力化電子装置と省電力化の方法は、入力信号にトリガされる場合、トリガモジュールをトリガさせ制御パルスを生成させ、トリガモジュールをオンにさせ、システムボードモジュール電源をスイッチさせ、電源モジュールがシステムボードモジュール電源スイッチによりシステムボードモジュールの処理装置に給電し、該処理装置が作動するようにする。入力信号が終了した場合、トリガモジュールの制御パルスも終了し、システムボードモジュール電源スイッチがオンにならなくなり、電源モジュールがシステムボードモジュールに給電できなくなり、処理装置が一時休止ではなく完全にシャットダウンとなるようにすることで、省電力化を図れるようにする。
【００１３】
　また、本発明に係る省電力化電子装置は、更に、通信ポートとブックカードインタフェースを備えており、該システムボードモジュールはメモリモジュールを有し、該システムボードモジュールのマイクロプロセッサがユーザに応じて該入力ユニット又は該通信ポートにより異なる信号を入力する。また、本発明は、ユーザが該省電力化電子装置のメモリモジュールにおけるデータとファイルを読み取り、該通信ポートからの入力データとファイルを読み取り、或は該ブックカードインタフェースにより該省電力化電子装置に挿入されたブックカードのデータとファイルを読み取り、読み取られたデータとファイルを該省電力化電子装置の表示ユニットに表示させ、読み取られたデータとファイルをメモリモジュール内に保存するようにできる。従って、通信ポートとブックカードインタフェース等の部品により、本発明に係る省電力化電子装置は電子書籍リーダー装置にも応用することができる。
【発明を実施するための最良の形態】
【００１４】
　図２は、本発明に係る省電力化電子装置の実施例の一つである基本システム組織構成を示す。図に示すように、省電力化電子装置２は、入力ユニット３、トリガモジュール４、マイクロプロセッサ又は中央処理装置を有するシステムボードモジュール５、電源モジュール６、システムボードモジュール電源スイッチ７、ディスプレイ制御スイッチ８、表示ユニット９等の相互に電気的に接続する部品を備える。
【００１５】
　入力ユニット３は、トリガモジュール４とシステムボードモジュール５とに接続され、入力信号をトリガモジュール４とシステムボードモジュール５とに転送するためのものであって、キーボード、タッチパネル、マウス、プッシュキー、赤外線入力装置等であっても良い。
【００１６】
　トリガモジュール４は、入力ユニット３からの入力信号を受け取ることにより、トリガモジュール４に接続されたシステムボードモジュール５、電源モジュール６及びシステムボードモジュール電源スイッチ７を駆動する。
【００１７】
　マイクロプロセッサ又は中央処理装置を有するシステムボードモジュール５は、トリガモジュール４の駆動によりそのマイクロプロセッサ又は中央処理装置をフルスピードで作動させ、省電力化電子装置２から提供された電気機能を行うことができる。
【００１８】
　電源モジュール６は、システムボードモジュール電源スイッチ７に接続されており、省電力化電子装置２を作動させるための電源（電力）を供給する。システムボードモジュール電源スイッチ７がオンとなった場合、電源モジュール６は、電源をシステムボードモジュール５のマイクロプロセッサ又は中央処理装置に供給することで、マイクロプロセッサ又は中央処理装置をフルスピードで作動させることができる。
【００１９】
　システムボードモジュール電源スイッチ７は、マイクロプロセッサ又は中央処理装置を有するシステムボードモジュール５に接続されており、システムボードモジュール電源スイッチ７がオンとなった場合、電源モジュール６は、電源をシステムボードモジュール５のマイクロプロセッサ又は中央処理装置に供給することで、マイクロプロセッサ又は中央処理装置をフルスピードで作動させることができる。
【００２０】
　入力ユニット３からの入力信号にトリガされた場合、トリガモジュール４は、制御パルスを生成して、システムボードモジュール電源スイッチ７をオンにし、電源モジュール６がシステムボードモジュール電源スイッチ７により電源をマイクロプロセッサ又は中央処理装置を有するシステムボードモジュール５に供給することで、マイクロプロセッサ又は中央処理装置がフルスピードで作動させると同時に、マイクロプロセッサ又は中央処理装置が制御信号をトリガモジュール４に転送することにより、システムボードモジュール電源スイッチ７を安定的にオンにすることができる。入力信号が終了した場合、トリガモジュール４の制御パルスも終了する。マイクロプロセッサ又は中央処理装置は、入力信号が終了したことを検知した場合、トリガモジュール４に送られた制御信号を終了させる。トリガモジュール４の制御パルス信号がなく、マイクロプロセッサ又は中央処理装置から送られた制御信号がない場合、トリガモジュール４はシステムボードモジュール電源スイッチ７をオンにすることができなくなり、電源もマイクロプロセッサ又は中央処理装置に転送できなくなり、マイクロプロセッサ又は中央処理装置がスリープ状態ではなく完全なシャットダウン状態となるようにすることで、省電力化電子装置２が省電力化を図れるようにする。
【００２１】
　ディスプレイ制御スイッチ８は、システムボードモジュール５と表示ユニット９とに接続されている。システムボードモジュール５のマイクロプロセッサ又は中央処理装置がフルスピードで作動している場合、システムボードモジュール５は、信号をディスプレイ制御スイッチ８に転送して、ディスプレイ制御スイッチをオンにすることで、電源モジュール６が電源を表示ユニット９に供給し、表示ユニット９が画面をそのスクリーンに表示するようにする。マイクロプロセッサ又は中央処理装置がシャットダウン状態の場合は、マイクロプロセッサ又は中央処理装置が別の信号をディスプレイ制御スイッチ８に転送して、ディスプレイ制御スイッチ８をシャットダウン状態にしてオンにできないようにし、電源モジュール６が電源を表示ユニット９に供給できなくなるため、表示ユニット９もシャットダウン状態となって省電力化電子装置２の消費電力を節約できる。
【００２２】
　表示ユニット９は、システムボードモジュール５の信号制御によって画面をそのスクリーンに表示させる。表示ユニット９は、陰極線管ディスプレイ、液晶ディスプレイ、コレステリック（Ｃｈｏｌｅｓｔｅｒｉｃ）液晶ディスプレイ、快速モード（Ｆａｓｔ　Ｍｏｄｅ）液晶ディスプレイ、電子シート（Ｅ−ｐａｐｅｒ）型ディスプレイ、電子インク（Ｅ−ｉｎｋ）型ディスプレイ等であっても良い。
【００２３】
　上記の省電力化電子装置２の実施例は、携帯情報端末（Ｐｅｒｓｏｎａｌ　Ｄｉｇｉｔａｌ　Ａｓｓｉｓｔａｎｔ）であって、その入力ユニット３はプッシュキー及び手書き入力ペンである。トリガモジュール４は消費電力の小さい（約数１０マイクロアンペア）マイクロプロセッサである。システムボードモジュール５は、中央処理装置を有し、携帯情報端末（Ｐｅｒｓｏｎａｌ　Ｄｉｇｉｔａｌ　Ａｓｓｉｓｔａｎｔ）から提供される機能の作動を行っている。表示ユニット９は、タッチ型ＳＴＮ液晶ディスプレイ、タッチ型ＴＦＴ液晶ディスプレイ等であっても良い。これらの部品の操作は上記に示す如くであり、ここでは説明を省略する。
【００２４】
　図３は図２の省電力化電子装置２を応用して、省電力化の方法を行うプロセスを示す。省電力化電子装置２を応用して、省電力化の方法を行う際に、まずは、ステップ２１において、入力ユニット３が入力信号をトリガモジュール４に転送して、入力信号にトリガされた場合、トリガモジュール４が制御パルスを生成する。その次に、ステップ２２に入る。
【００２５】
　ステップ２２において、トリガモジュール４は、制御パルスを生成した後、システムボードモジュール電源スイッチ７をオンにし、電源モジュール６がオンにされたシステムボードモジュール電源スイッチ７により電源をシステムボードモジュール５のマイクロプロセッサ又は中央処理装置に供給することで、マイクロプロセッサ又は中央処理装置をフルスピードで作動させる。その次に、ステップ２３に入る。
【００２６】
　ステップ２３において、制御パルスの作用期間に、マイクロプロセッサ又は中央処理装置は、制御信号をトリガモジュール４に転送し、システムボードモジュール電源スイッチ７を安定的にオンとなるようにしたことで、電源モジュール６はマイクロプロセッサ又は中央処理装置に必要な電源を供給でき、マイクロプロセッサ又は中央処理装置がフルスピードで安定的に作動する。同時に、システムボードモジュール５のマイクロプロセッサ又は中央処理装置がフルスピードで作動する場合、信号をディスプレイ制御スイッチ８に転送して、ディスプレイ制御スイッチ８をオンにさせることで、電源を電源モジュール６から表示ユニット９に供給し、表示ユニット９は、マイクロプロセッサ又は中央処理装置によって処理されたデータや情報を受け取り、それをそのスクリーンに表示させる。その次に、ステップ２４に入る。
【００２７】
　ステップ２４において、入力信号が終了した場合、トリガモジュール４の制御パルスも終了する。マイクロプロセッサ又は中央処理装置は、入力信号の終了を検知した場合、トリガモジュール４に送られた制御信号を終了させる。トリガモジュール４の制御パルス信号がなく、マイクロプロセッサ又は中央処理装置から送られた制御信号がない場合、トリガモジュール４はシステムボードモジュール電源スイッチ７をオンにすることができなくなるので、電源もマイクロプロセッサ又は中央処理装置に転送できなくなり、マイクロプロセッサ又は中央処理装置がスリープ状態ではなく完全なシャットダウン状態となるようにすることで、省電力化電子装置２が省電力化を図れるようにする。同時に、マイクロプロセッサ又は中央処理装置は、入力信号の終了を検知した場合、マイクロプロセッサ又は中央処理装置が別の信号をディスプレイ制御スイッチ８に転送して、ディスプレイ制御スイッチ８をシャットダウン状態としてオンにできなくなり、電源モジュール６が電源を表示ユニット９に供給できなくなり、表示ユニット９もシャットダウン状態となるようにする。
【００２８】
　図４は本発明の他の実施例である省電力化電子装置の基本システム組織構成を示す。図に示すように、この実施例である省電力化電子装置２は、トリガモジュール４にトリガ回路４１とロジック制御回路４２とが備えられることを特徴とする。省電力化電子装置２に係る実施例は電子書籍リーダーであり、その入力ユニット３はプッシュキー又はキーボードであり、表示ユニット９は、コレステリック（Ｃｈｏｌｅｓｔｅｒｉｃ）液晶ディスプレイ、快速モード（Ｆａｓｔ　Ｍｏｄｅ）液晶ディスプレイ、電子シート（Ｅ−ｐａｐｅｒ）型ディスプレイ、電子インク（Ｅ−ｉｎｋ）型ディスプレイ等である。
【００２９】
　トリガモジュール４のトリガ回路４１は入力ユニット３からの入力信号を受信し、制御パルスを生成して、制御パルスをロジック制御回路４２に転送する。制御パルスを受け取ったロジック制御回路４２は、システムボードモジュール電源スイッチ７をオンにさせ、電源モジュール６が電源をマイクロプロセッサ又は中央処理装置を有するシステムボードモジュール５に供給することで、マイクロプロセッサ又は中央処理装置をフルスピードで作動させる。制御パルスの作用期間に、マイクロプロセッサ又は中央処理装置は制御信号をロジック制御回路４２に転送することで、システムボードモジュール電源スイッチ７を安定的にオンにすることができる。入力信号とトリガ回路４１の制御パルスが終了した場合、マイクロプロセッサ又は中央処理装置はロジック制御回路４２に送られた制御信号を終了させる。トリガ回路４１の制御パルス信号がなく、マイクロプロセッサ又は中央処理装置から送られた制御信号がない場合、ロジック制御回路４２はシステムボードモジュール電源スイッチ７をオンにすることができなくなり、システムボードモジュール電源スイッチ７が電源を転送することができなくなるので、マイクロプロセッサ又は中央処理装置は完全なシャットダウン状態となる。
【００３０】
　省電力化電子装置２がデスクトップパソコン（Ｐｅｒｓｏｎａｌ　Ｃｏｍｐｕｔｅｒ）又はノートブックパソコンである場合、そのシステムの構成や操作の原理はいずれも図２及び図４に示す携帯情報端末（Ｐｅｒｓｏｎａｌ　Ｄｉｇｉｔａｌ　Ａｓｓｉｓｔａｎｔ）及び電子書籍リーダーに類似しているため、ここでは説明を省略する。
【００３１】
　図５は、図４における省電力化電子装置を応用して、省電力化の方法を行うプロセスを示す。上記の省電力化電子装置２を応用して、省電力化の方法を行う場合、まずは、ステップ３１において、入力ユニット３が入力信号をトリガモジュール４のトリガ回路４１に転送して、入力信号にトリガされた場合、トリガ回路４１が制御パルスを生成してこの制御パルスをロジック制御回路４２に転送する。その次に、ステップ３２に入る。
【００３２】
　ステップ３２において、制御パルスを受け取ったロジック制御回路４２はシステムボードモジュール電源スイッチ７をオンにし、電源モジュール６がオンにされたシステムボードモジュール電源スイッチ７により電源をシステムボードモジュール５のマイクロプロセッサ又は中央処理装置に転送することで、マイクロプロセッサ又は中央処理装置をフルスピードで作動させる。その次に、ステップ３３に入る。
【００３３】
　ステップ３３において、制御パルスの作用期間に、マイクロプロセッサ又は中央処理装置は制御信号をロジック制御回路４２に転送することで、システムボードモジュール電源スイッチ７を安定的にオンにすることができ、電源モジュール６がマイクロプロセッサ又は中央処理装置に必要な電源を供給することで、マイクロプロセッサ又は中央処理装置をフルスピードで安定的に作動させる。システムボードモジュール５のマイクロプロセッサ又は中央処理装置はフルスピードで作動する場合、マイクロプロセッサ又は中央処理装置が信号をディスプレイ制御スイッチ８に転送して、ディスプレイ制御スイッチ８をオンにさせ、電源モジュール６が電源を表示ユニット９に提供することで、表示ユニット９がマイクロプロセッサ又は中央処理装置によって処理されたデータや情報を受け取り、それをそのスクリーンに表示させる。その次に、ステップ３４に入る。
【００３４】
　ステップ３４において、入力信号が終了した場合、トリガ回路４１の制御パルスも終了する。マイクロプロセッサ又は中央処理装置は入力信号の終了を検知した場合、ロジック制御回路４２に送られた制御信号を終了させる。トリガ回路４１の制御パルス信号がなく、マイクロプロセッサ又は中央処理装置から送られた制御信号がない場合、ロジック制御回路４２はシステムボードモジュール電源スイッチ７をオンにすることができなくなるので、電源もマイクロプロセッサ又は中央処理装置に転送できなくなり、マイクロプロセッサ又は中央処理装置がスリープ状態ではなく完全なシャットダウン状態となる。同時に、マイクロプロセッサ又は中央処理装置は、入力信号の終了を検知した場合、マイクロプロセッサ又は中央処理装置が他の信号をディスプレイ制御スイッチ８に転送して、ディスプレイ制御スイッチ８をシャットダウン状態としてオンにすることができなくなるため、電源モジュール６が電源を表示ユニット９に供給できなくなり、表示ユニット９もシャットダウン状態となる。
【００３５】
　図６は図４における省電力化電子装置２のシステムボードモジュール５の中央処理装置と入力ユニット３（例えばキーボード又はプッシュキー）のプッシュキーマトリックス（ｋｅｙ　ｍａｔｒｉｘ）との回路接続の構成を示す。図に示すように、中央処理装置を有するシステムボードモジュール５が作動している際、入力ユニット３のプッシュキーが押された場合、押されたプッシュキーは中断（ｉｎｔｅｒｒｕｐｔ）信号ＩＮＴ０、ＩＮＴ１、ＩＮＴ２を生成して中央処理装置に転送し、高レベルに設定された中央処理装置ｋ０、ｋ１、ｋ２ピン（ｐｉｎ）を低レベルにし、押されたプッシュキーが何であるかを解析する。
【００３６】
　図７は図４の省電力化電子装置２のトリガ回路４１の回路構造を示す。図８は図４のトリガ回路４１の作業タイミングを示す。図７及び図８に示すように、入力ユニット３のプッシュキーが押された場合、中央処理装置のＩＮＴ０のプルダウン（Ｐｕｌｌ　Ｄｏｗｎ）抵抗はトリガ回路４１のａ点に図８に示すような下降エッジ（Ｆａｌｌｉｎｇ　Ｅｄｇｅ）を生成させる。抵抗Ｒ２及び容量Ｃに充電された後、トリガ回路４１のｂ点に図８に示すような波形（Ｗａｖｅｆｏｒｍ）を生成させる。充電の関係で、ｂ点の波形は時間がａ点の波形より遅れ始める。更に、アンド・ゲート（ＡＮＤ　Ｇａｔｅ、即ちロジック制御回路４２）の修正により、ｃ点にロジック・ロー信号（図８に示す）が生成される。このロジック・ロー信号はＰチャネル金属酸化半導体（Ｐ−ｃｈａｎｎｅｌ　Ｍｅｔａｌ−ｏｘｉｄｅ　Ｓｅｍｉｃｏｎｄｕｃｔｏｒ、ＰＭＯＳ）スイッチ（即ちシステムボードモジュール電源スイッチ７）をオンにさせ、システムボードモジュール５がオンにされたシステムボードモジュール電源スイッチ（ＰＭＯＳスイッチ）７により電源モジュール６からの給電を得ることができる。この場合、システムボードモジュール５の中央処理装置が制御信号を生成させ、即ちｄ点にロー信号（図８に示す）が生成され、ＰＭＯＳスイッチ７が安定的にオン状態に維持され、電源モジュール６が安定的に電力を中央処理装置に供給する。中央処理装置がその作動を終了した場合、ｄ点のロー信号が高レベルに変わり、ｂ点のパルス信号も高レベルに回復し、ｃ点のロジック・ロー信号が高レベルとなることにより、ＰＭＯＳスイッチ７がシャットダウン状態となってオンにすることができなくなり、システムボードモジュール５は電源モジュール６の給電を得られず、中央処理装置が完全なシャットダウン状態となる。
【００３７】
　図９は、図７の省電力化電子装置を応用したトリガ回路が中央処理装置に合わせた作業フローのプロセスを示す。下記は図７及び図８に沿いながら説明する。図に示すように、まずは、ステップ５１において、入力ユニット３のプッシュキーが押された場合、システムボードモジュール５の中央処理装置ＩＮＴ０のプルダウン抵抗がトリガ回路４１のａ点に下降エッジを生成させる。その次に、ステップ５２に入る。
【００３８】
　ステップ５２において、抵抗Ｒ２及び容量Ｃが充電された後、トリガ回路４１のｂ点に、即ちロジック制御回路４２の入力点に波形が生成され（図８に示す）、充電の関係で、該波形はａ点の波形より時間が遅れ始める。その次に、ステップ５３に入る。
【００３９】
　ステップ５３において、アンドゲート又はロジック制御回路４２の修正により、ｃ点（即ちロジック制御回路４２の出力点）にロジック・ロー信号が生成され、該ロジック・ロー信号はシステムボードモジュール電源スイッチ（即ちＰＭＯＳスイッチ）７をオンにさせ、システムボードモジュール５が電源モジュール６からの給電を得ることができるようにする。その次に、ステップ５４に入る。
【００４０】
　ステップ５４において、システムボードモジュール５が給電を得た後、その中央処理装置は作動して制御信号例えばｄ点におけるロー信号を生成させることで、システムボードモジュール電源スイッチ７は安定的にオン状態を維持することができ、電源モジュール６が安定的に電力を中央処理装置に供給する。その次に、ステップ５５に入る。
【００４１】
　ステップ５５において、中央処理装置の作動が終了した場合、ｄ点のロー信号が高レベルに変わり、ｂ点のパルス信号も高レベルに回復し、ｃ点のロジック・ロー信号が高レベルとなることで、システムボードモジュール電源スイッチ７がオフになる。システムボードモジュール５は電源モジュール６の給電を得られず、中央処理装置が完全なシャットダウン状態となる。
【００４２】
　図１０は、本発明の他の実施例である省電力化電子装置の外観を示すものである。図２に示すように、本発明の省電力化電子装置２’の他の実施例における外観を示しており、電子書籍リーダー装置に応用されている。省電力化電子書籍装置２’は、電子書籍リーダー２０とブックカード３０とを有する。電子書籍リーダー２０は上側に、ブックカード３０を該電子書籍リーダー２０内に入れ、ブックカード３０と電子書籍リーダー２０とが接続するようにするカードスロット２００がある。
【００４３】
　図１１は、図１０の省電力化電子装置を応用した基本システム組織構造を示す。図に示すように、本実施例の省電力化電子装置２’の電子書籍リーダー２０には、入力ユニット２１、トリガモジュール２２、マイクロプロセッサ又は中央処理装置を有するシステムボードモジュール２３、通信ポート２４、ブックカードインタフェース２５、電源モジュール２６、システムボードモジュール電源スイッチ２７、ディスプレイ制御スイッチ２８及び表示ユニット２９が含まれる。
【００４４】
　説明を簡単にするために、本実施例の省電力化電子装置２’と上記の図２の省電力化電子装置２の組織構造とが大体同じであり、異なるのはブックカードインタフェース２５、通信ポート２４とシステムボードモジュール２３との作動関係であるため、同じ部分である作動関係の説明を省略する。
【００４５】
　マイクロプロセッサ又は中央処理装置を有する該システムボードモジュール２３は、更にメモリモジュール２３０を有する。システムボードモジュール２３が電源の供給を得て、マイクロプロセッサ又は中央処理装置がフルスピードで作動する場合、マイクロプロセッサ又は中央処理装置は、押されたプッシュキーの作動によって生成された入力信号、又は通信ポート２４からの入力信号を読み取る。入力信号が存在する場合のみ、マイクロプロセッサ又は中央処理装置はフルスピードで作動する。マイクロプロセッサ又は中央処理装置は、ユーザにより押された異なるプッシュキー、又は通信ポート２４からの異なる入力信号に応じて、電子書籍リーダー２０のメモリモジュール２３０におけるデータ・ファイルを読み取り、通信ポート２４からの入力データ・ファイル、又はブックカードインタフェース２５により電子書籍リーダー２０に挿入されたブックカード３０におけるデータ・ファイルを読み取り、かつ読み取られたデータ・ファイルを電子書籍リーダー２０の表示ユニット２９のスクリーンに表示させ、メモリモジュール２３０内に蓄積することができる。システムボードモジュール２３は、更にメモリモジュール２３０におけるプログラムを行い、或はシステムボードモジュール２３は挿入されたブックカード３０に合わせて、ブックカード３０におけるプログラムを行い、或はシステムボードモジュール２３はブックカードインタフェース２５を介し、ブックカード３０のプログラムを読取り、ブックカード３０におけるプログラムをメモリモジュール２３０にローディングし、或は通信ポート２４により外部からプログラムをメモリモジュール２３０にローディングし保存する。この電子書籍リーダー２０は、既存機能を増加又は修正しようとする場合、通信ポート２４によりプログラムを外部から電子書籍リーダー２０に入力でき、或はプログラムのあるブックカード３０をユーザが電子書籍リーダー２０に挿入でき、システムプログラム又はその他の機能プログラムをメモリモジュール２３０に書き込み、或はシステムボードモジュール２３がプログラムのあるブックカード３０に合わせて電子書籍リーダー２０の既存機能を増加又は修正することができる。入力信号にトリガされた場合、トリガモジュール２２がトリガされ、制御パルスが生成され、電源モジュール２６が電源をマイクロプロセッサ又は中央処理装置を有するシステムボードモジュール２３に供給でき、マイクロプロセッサ又は中央処理装置、ブックカード２５がフルスピードで作動するようにできる。入力信号が終了した際に、電源がマイクロプロセッサ又は中央処理装置を有するシステムボードモジュール２３に送られなくなる場合、マイクロプロセッサ又は中央処理装置、ブックカード２５がスリープ状態ではなく完全なシャットダウン状態となる。
【００４６】
　通信ポート２４は、システムボードモジュール２３がフルスピードで作動している場合、外部からの信号を有線転送又は無線転送の方法により、電子書籍リーダー２０のシステムボードモジュール２３に転送でき、トリガモジュール２２がスタートしていない場合、入力ユニットには入力信号がなく、入力信号が通信ポート２４によりトリガモジュール２２に転送された場合、入力信号がトリガされた状況において、トリガモジュール２２は制御パルスを生成して、システムボードモジュール電源スイッチ２７をオンにさせ、電源モジュール２６がシステムボードモジュール電源スイッチ２７により、電源をマイクロプロセッサ又は中央処理装置を有するシステムボードモジュール２３、ブックカード２５に供給できるようにし、マイクロプロセッサ又は中央処理装置、ブックカード２５をフルスピードで作動させる。システムボードモジュール２３、ブックカードインタフェース２５がフルスピードで作動している場合、システムボードモジュール２３は通信ポート２４によりデータ、ファイル、プログラムを入力でき、データ、ファイル、プログラムをそのメモリモジュール２３０に保存できる。
【００４７】
　ブックカードインタフェース２５は、システムボードモジュール２３、ブックカード２５がフルスピードで作動している場合、システムボードモジュール２３がこのブックカードインタフェース２５により、ブックカード３０におけるデータ、ファイル、プログラムをアクセスできる。システムボードモジュール２３は、ブックカードインタフェース２５によりブックカード３０におけるプログラムを読み取り、実行できる。システムボードモジュール２３は更に、ブックカード３０におけるデータ、ファイル、プログラムをそのメモリモジュール２３０にローディングできる。この電子書籍リーダー２０は既存機能を増加又は修正しようとする場合、ユーザはプログラムのあるブックカードを電子書籍リーダー２０に挿入でき、ブックカードインタフェース２５によりブックカード３０におけるプログラムをメモリモジュール２３０に書き込み、或はプログラムのあるブックカード３０が、電子書籍リーダー２０のシステムボードモジュール２３に合わせて、電子書籍リーダー２０の既存機能を増加又は修正することができる。
【００４８】
　図１１に示すシステム組織構造によって上記の図３の省電力化電子装置を応用して省電力化の方法の手順を行う場合、その中のステップ２３において、トリガパルスが終了する前に、マイクロプロセッサ又は中央処理装置が制御信号をトリガモジュール２２に転送し、システムボードモジュール電源スイッチ２７を安定的にオンにすることができ、電源モジュール２６は、システムボードモジュール２３、ブックカードインタフェース２５に必要な電源を供給でき、マイクロプロセッサ又は中央処理装置、ブックカードインタフェース２５をフルスピードで安定的に作動させることができる。マイクロプロセッサ又は中央処理装置を有するシステムボードモジュール２３は、正常に作動している場合、信号をディスプレイ制御スイッチ２８に転送して、ディスプレイ制御スイッチ２８をオンにし、電源モジュール２６が電源を表示ユニット２９に供給できるようにする。この場合、表示ユニット２９はマイクロプロセッサ又は中央処理装置によって処理されたデータや情報を受け取り、それを表示させる。システムボードモジュール２３がフルスピードで作動している場合、ユーザに押された異なるプッシュキー又は通信ポート２４からの異なる入力信号に応じて行われることには、電子書籍リーダー２０のメモリモジュール２３０におけるデータ、ファイル、プログラムを読み取り、実行し、或は通信ポート２４からの入力したデータ、ファイル、プログラムを読取り、実行し、或はブックカードインタフェース２５により電子書籍リーダー２０に挿入されたブックカード３０におけるデータ、ファイル、プログラムを読み取り、実行し、或は読み取られたデータ、ファイル、プログラムをメモリモジュール２３０内に保存して、メモリモジュール２３０におけるプログラムを実行し、或はシステムボードモジュール２３は挿入されたブックカード３０に合わせてブックカード３０におけるプログラムを実行し、或はシステムボードモジュール２３はブックカードインタフェース２５によりブックカード３０におけるプログラムを読み取り、ブックカード３０におけるプログラムをそのメモリモジュール２３０にローディングし、或は通信ポート２４によりプログラムを外部からメモリモジュール２３０にローディングし、保存して、通信ポート２４を利用してプログラムを外部から電子書籍リーダー２０に入力し、或はユーザはプログラムのあるブックカード３０を電子書籍リーダー２０に挿入でき、システムプログラム又はその他の機能のプログラムをメモリモジュール２３０に書き込み、或はシステムボードモジュール２３はプログラムのあるブックカード３０に合わせて、電子書籍リーダー２０の既存機能を増加又は修正することが含まれる。
【００４９】
　図１２は、図１１の本発明に係る省電力化電子装置に応用され、電子書籍方法を行う場合の操作フローのプロセスを示す。ここで、電子書籍リーダー２０により電子書籍の閲読方法を行う。例えば、ユーザは電子書籍リーダー２０の閲読機能操作手順に従って、何かのデータやファイルを閲読する場合、入力ユニット２１を押した回数は５回でないと、何かのデータやファイルを閲読する全体のプロセスは終了できない。ここで、入力ユニット２１はプッシュキー方式であって、表示ユニット２９はコレステリック（Ｃｈｏｌｅｓｔｅｒｉｃ）液晶ディスプレイである。
【００５０】
　電子書籍リーダー２０により電子書籍閲読の方法を行う場合、まずは、ステップ１０１において、ユーザは電子書籍リーダー２０の閲読機能操作手順に従って、先に入力ユニット２１プッシュキーの１つ又は１つ以上のプッシュキーを押し、閲読フローをスタートして、ステップ１０２に入る。
【００５１】
　ステップ１０２において、押されたプッシュキーは第１の入力信号を生成する。この押されたプッシュキーによって生成された第１の入力信号に対して、図３に示すそれぞれの入力信号に対する処理プロセスを行う。この処理プロセスにおいては、例えば、電子書籍リーダー２０のメモリモジュール２３０における電子書籍ファイルを読み取り、或は通信ポート２４から入力された電子書籍ファイルを読み取り、或はブックカードインタフェース２５により電子書籍リーダー２０に挿入されたブックカード３０における電子書籍ファイルやデータを読み取る。この第１の入力信号の処理プロセスが終了した場合、電子書籍リーダー２０のシステムボードモジュール２３及び表示ユニット２９は完全なシャットダウン状態となる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るための画像が残存している。そして、ステップ１０３に入る。
【００５２】
　ステップ１０３において、ユーザは電子書籍リーダー２０の表示ユニット２９のスクリーン上の残存画像によって、入力ユニット２１における１つ又は１つ以上のプッシュキーを押し、閲読のフローを行いつづけ、ステップ１０４に入る。
【００５３】
　ステップ１０４において、押されたプッシュキーは第２の入力信号を生成して、この押されたプッシュキーによって生成された第２の入力信号に対して、図３に示すそれぞれの入力信号に対する処理プロセスを行う。この処理プロセスにおいては、例えば、電子書籍リーダー２０のメモリモジュール２３０における電子書籍ファイルを読み取り、或は通信ポート２４から入力された電子書籍ファイルを読み取り、或はブックカードインタフェース２５により電子書籍リーダー２０に挿入されたブックカード４における電子書籍ファイルやデータを読み取る。この第２の入力信号の処理プロセスが終了した場合、電子書籍リーダー２０のシステムボードモジュール２３及び表示ユニット２９は完全なシャットダウン状態となる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るための画像が残存している。そして、ステップ１０５に入る。
【００５４】
　ステップ１０５において、ユーザは電子書籍リーダー２０の表示ユニット２９のスクリーン上の残存画像によって、入力ユニット２１における１つ又は１つ以上のプッシュキーを押し、閲読のフローを行いつづけ、ステップ１０６に入る。
【００５５】
　ステップ１０６において、押されたプッシュキーは第３の入力信号を生成して、この押されたプッシュキーによって生成された第３の入力信号に対して、図３に示すそれぞれの入力信号に対する処理プロセスを行う。この処理プロセスにおいては、例えば、電子書籍リーダー２０のメモリモジュール２３０における電子書籍ファイルを読み取り、或は通信ポート２４から入力された電子書籍ファイルを読み取り、或はブックカードインタフェース２５により電子書籍リーダー２０に挿入されたブックカード３０における電子書籍ファイルやデータを読み取る。この第３の入力信号の処理プロセスが終了した場合、電子書籍リーダー２０のシステムボードモジュール２３及び表示ユニット２９は完全なシャットダウン状態となる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るための画像が残存している。そして、ステップ１０７に入る。
【００５６】
　ステップ１０７において、ユーザは電子書籍リーダー２０の表示ユニット２９のスクリーン上の残存画像によって、入力ユニット２１における１つ又は１つ以上のプッシュキーを押し、閲読のフローを行いつづけ、ステップ１０８に入る。
【００５７】
　ステップ１０８において、押されたプッシュキーは第４の入力信号を生成して、この押されたプッシュキーによって生成された第４の入力信号に対して、図３に示すそれぞれの入力信号に対する処理プロセスを行う。この処理プロセスにおいては、例えば、電子書籍リーダー２０のメモリモジュール２３０における電子書籍ファイルを読み取り、或は通信ポート２４から入力された電子書籍ファイルを読み取り、或はブックカードインタフェース２５により電子書籍リーダー２０に挿入されたブックカード３０における電子書籍ファイルやデータを読み取る。この第４の入力信号の処理プロセスが終了した場合、電子書籍リーダー２０のシステムボードモジュール２３及び表示ユニット２９は完全なシャットダウン状態となる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るための画像が残存している。そして、ステップ１０９に入る。
【００５８】
　ステップ１０９において、ユーザは電子書籍リーダー２０の表示ユニット２９のスクリーン上の残存画像によって、入力ユニット２１における１つ又は１つ以上のプッシュキーを押し、閲読のフローを行いつづけ、ステップ１１０に入る。
【００５９】
　ステップ１１０において、押されたプッシュキーは第５の入力信号を生成して、この押されたプッシュキーによって生成された第５の入力信号に対して、図３に示すそれぞれの入力信号に対する処理プロセスを行う。この処理プロセスにおいては、例えば、電子書籍リーダー２０のメモリモジュール２３０における電子書籍ファイルを読み取り、或は通信ポート２４から入力された電子書籍ファイルを読み取り、或はブックカードインタフェース２５により電子書籍リーダー２０に挿入されたブックカード３０における電子書籍ファイルやデータを読み取り、読み取られた電子書籍ファイルをメモリモジュール２３０又はブックカード３０に保存する。この第５の入力信号の処理プロセスが終了した場合、電子書籍リーダー２０のシステムボードモジュール２３及び表示ユニット２９は完全なシャットダウン状態となる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るための画像が残存しており、全体の電子書籍閲読方法のプロセスを完成する。
【００６０】
　この電子書籍閲読方法のプロセスにおいて、ユーザがプッシュキーを押したことにより生成された入力信号は５つあり、入力信号の処理プロセスも５回あるが、あくまでも例えばの話しである。実際には、ユーザが電子書籍閲読方法のフローを行う場合、プッシュキーを押したことによって生成される入力信号は、必ずしも５つに限らず、実際の需要に応じて入力信号個数と入力信号処理プロセス回数を決めなければならない。
【００６１】
　図１３は図１１の省電力化電子装置を応用して、電子書籍の操作方法フローを行う場合の他のプロセスを示す。ここで、電子書籍リーダー２０により電子書籍のプログラム方法を行う。例えば、ユーザは電子書籍リーダー２０のプログラム機能操作手順によって、何かのプログラムを行う場合、入力ユニット２１を押す回数は４回である。即ち、このプログラムは必ず４つのプロセスのステップの実施を通じてこそ、このプログラム実施のプロセスを完成できる。その中で、入力ユニット２１はキーボード方式であって、表示ユニット２９はＦＭ（Ｆａｓｔ　Ｍｏｄｅ）コレステリック（Ｃｈｏｌｅｓｔｅｒｉｃ）液晶ディスプレイである。
【００６２】
　電子書籍リーダー２０により電子書籍プログラムの方法を行う場合、まずは、ステップ２０１において、ユーザは電子書籍リーダー２０のプログラム機能操作手順によって、先に入力ユニット２１キーボードの１つ又は１つ以上のプッシュキーを押し、プログラムフローの実行をスタートして、ステップ２０２に入る。
【００６３】
　ステップ２０２において、押されたプッシュキーは第１の入力信号を生成する。この押されたプッシュキーによって生成された第１の入力信号に対して、図３に示すそれぞれの入力信号に対する処理プロセスを行う。この処理プロセスにおいては、例えば、システムボードモジュール２３はメモリモジュール２３０における何かのプログラムを行う第１のプロセスステップをスタートでき、或はシステムボードモジュール２３は挿入されたブックカードに合わせてブックカード３０における何かのプログラムを行う第１のプロセスステップをスタートすることができる。この第１の入力信号の処理プロセスが終了した場合、電子書籍リーダー２０のシステムボードモジュール２３及び表示ユニット２９は完全なシャットダウン状態となる。ＦＭコレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、ＦＭコレステリック（Ｃｈｏｌｅｓｔｅｒｉｃ）液晶ディスプレイのスクリーンにはまだユーザの見るための画像が残存している。そして、ステップ２０３に入る。
【００６４】
　ステップ２０３において、ユーザは電子書籍リーダー２０の表示ユニット２９のスクリーン上の残存画像によって、入力ユニット２１における１つ又は１つ以上のプッシュキーを押し、プログラムのフローを行いつづけ、ステップ２０４に入る。
【００６５】
　ステップ２０４において、押されたプッシュキーは第２の入力信号を生成する。この押されたプッシュキーによって生成された第２の入力信号に対して、図３に示すそれぞれの入力信号に対する処理プロセスを行う。この処理プロセスにおいては、例えば、システムボードモジュール２３はメモリモジュール２３０における何かのプログラムを行う第２のプロセスステップをスタートし、或はシステムボードモジュール２３は挿入されたブックカードに合わせてブックカード３０における何かのプログラムを行う第２のプロセスステップをスタートする。この第２の入力信号の処理プロセスが終了した場合、電子書籍リーダー２０のシステムボードモジュール２３及び表示ユニット２９は完全なシャットダウン状態となる。ＦＭコレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、ＦＭコレステリック（Ｃｈｏｌｅｓｔｅｒｉｃ）液晶ディスプレイのスクリーンにはまだユーザの見るための画像が残存している。そして、ステップ２０５に入る。
【００６６】
　ステップ２０５において、ユーザは電子書籍リーダー２０の表示ユニット２９のスクリーン上の残存画像によって、入力ユニット２１における１つ又は１つ以上のプッシュキーを押し、プログラムのフローを行いつづけ、ステップ２０６に入る。
【００６７】
　ステップ２０６において、押されたプッシュキーは第３の入力信号を生成する。この押されたプッシュキーによって生成された第３の入力信号に対して、図３に示すそれぞれの入力信号に対する処理プロセスを行う。この処理プロセスにおいては、例えば、システムボードモジュール２３はメモリモジュール２３０における何かのプログラムを行う第３のプロセスステップをスタートし、或はシステムボードモジュール２３は挿入されたブックカード３０に合わせてブックカード３０における何かのプログラムを行う第３のプロセスステップをスタートする。この第３の入力信号の処理プロセスが終了した場合、電子書籍リーダー２０のシステムボードモジュール２３及び表示ユニット２９は完全なシャットダウン状態となる。ＦＭコレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、ＦＭコレステリック（Ｃｈｏｌｅｓｔｅｒｉｃ）液晶ディスプレイのスクリーンにはまだユーザの見るための画像が残存している。そして、ステップ２０７に入る。
【００６８】
　ステップ２０７において、ユーザは電子書籍リーダー２０の表示ユニット２９のスクリーン上の残存画像によって、入力ユニット２１における１つ又は１つ以上のプッシュキーを押し、プログラムのフローを行いつづけ、ステップ２０８に入る。
【００６９】
　ステップ２０８において、押されたプッシュキーは第４の入力信号を生成する。この押されたプッシュキーによって生成された第４の入力信号に対して、図３に示すそれぞれの入力信号に対する処理プロセスを行う。この処理プロセスにおいては、例えば、システムボードモジュール２３はメモリモジュール２３０における何かのプログラムを行う第４のプロセスステップをスタートし、或はシステムボードモジュール２３は挿入されたブックカード３０に合わせてブックカード３０における何かのプログラムを行う第４のプロセスステップをスタートする。この第４の入力信号の処理プロセスが終了した後に、即ち、この何かのプログラムの第４のプロセスステップが完成した後に、このプログラムの実施プロセスを完成する。電子書籍リーダー２０のシステムボードモジュール２３及び表示ユニット２９は完全なシャットダウン状態となる。ＦＭコレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るための画像が残存している。
【００７０】
　この電子書籍プログラム方法を行うプロセスにおいて、ユーザが電子書籍リーダー２０の何かのプログラムの機能によって操作手順を行い、入力ユニット２１を押す回数は４回であり、それによって生成された入力信号が４つあり、入力信号の処理プロセスも４回あるが、あくまでも例えばの話しである。実際には、ユーザが電子書籍プログラム方法のフローを行う場合、プッシュキーを押したことによって生成される入力信号は、必ずしも４つに限らず、実際の需要に応じて入力信号個数と入力信号処理プロセス回数を決めなければならない。
【００７１】
　図１４は、図１１の本発明の省電力化電子装置に応用され、電子書籍の操作方法フローを行うプロセスを示す。ここで、電子書籍リーダー２０により電子書籍の既存機能方法を増加又は修正する。例えば、ユーザは電子書籍リーダー２０により電子書籍の既存機能の操作手順を増加又は修正する。既存機能を増加又は修正する場合、入力ユニット２１を押した回数が２回でないと、電子書籍の機能の１つのプロセスを増加又は修正することができない。その中で、入力ユニット２１はプッシュキー方式であって、表示ユニット２９は電子インク（Ｅ−ｉｎｋ）型ディスプレイである。
【００７２】
　電子書籍リーダー２０により電子書籍の既存機能方法を増加又は修正する場合、まずは、ステップ３０１において、ユーザは電子書籍リーダー２０の既存機能の操作手順を増加又は修正することにより電子書籍の機能の１つを増加又は修正することを完成する。先に入力ユニット２１における１つ又は１つ以上のプッシュキーを押し、電子書籍の機能の１つを増加又は修正するフローをスタートして、ステップ３０２に入る。
【００７３】
　ステップ３０２において、押されたプッシュキーは第１の入力信号を生成する。この押されたプッシュキーによって生成された第１の入力信号に対して、図３に示すそれぞれの入力信号に対する処理プロセスを行う。この処理プロセスにおいては、システムボードモジュール２３は電子書籍の機能の１つを増加又は修正する第１のプロセスステップをスタートすることができる。例えば、通信ポート２４により外部からの何かのシステムプログラム又は何かの機能プログラムを読み取えい、或はブックカード３０の何かの１つのシステムプログラム或は何かの機能プログラムを読取る。この第１の入力信号の処理プロセスが終了した場合、電子書籍リーダー２０のシステムボードモジュール２３及び表示ユニット２９は完全なシャットダウン状態となる。電子インク（Ｅ−ｉｎｋ）型ディスプレイの物理特性の関係で、入力信号の処理プロセスが終了した後、システムボードモジュール２３と表示ユニット２９は完全なシャットダウン状態となるが、電子インク（Ｅ−ｉｎｋ）型ディスプレイのスクリーンにはまだユーザの見るための画像が残存している。そして、ステップ３０３に入る。
【００７４】
　ステップ３０３において、ユーザは電子書籍リーダー２０の表示ユニット２９のスクリーン上の残存画像によって、入力ユニット２１における１つ又は１つ以上のプッシュキーを押し、電子書籍の機能の１つを増加又は修正するフローを行いつづけ、ステップ３０４に入る。
【００７５】
　ステップ３０４において、押されたプッシュキーは第２の入力信号を生成する。この押されたプッシュキーによって生成された第２の入力信号に対して、図３に示すそれぞれの入力信号に対する処理プロセスを行う。この処理プロセスにおいては、システムボードモジュール２３は電子書籍の機能の１つを増加又は修正する第２のプロセスステップを行うことができる。例えば、システムボードモジュール２３は通信ポート２４からの何かのシステムプログラム又は何かの機能プログラム又はブックカード３０における何かのシステムプログラム又は何かの機能プログラムを読み取り、それをメモリモジュール２３０に保存する。この第２の入力信号の処理プロセスが終了した場合、即ち、この電子書籍の機能の１つを増加又は修正する第２のプロセスステップが終了した場合、この電子書籍の機能の１つを増加又は修正するフローを終了させる。この電子書籍リーダー２０のシステムボードモジュール２３及び表示ユニット２９は完全なシャットダウン状態となる。電子インク（Ｅ−ｉｎｋ）型ディスプレイの物理特性の関係で、入力信号の処理プロセスが終了した後、システムボードモジュール２３と表示ユニット２９は完全なシャットダウン状態となるが、電子インク（Ｅ−ｉｎｋ）型ディスプレイのスクリーンにはまだユーザの見るための画像が残存している。
【００７６】
　この電子書籍の既存機能を増加又は修正するプロセスにおいて、ユーザは電子書籍リーダー２０における既存機能を増加又は修正する操作手順によって、既存機能を増加又は修正する場合、入力ユニット２１を押した回数が２回で、これによって生成された入力信号が２個であり、入力信号の処理プロセスが２回でないと、電子書籍機能を増加又は修正するプロセスの１つを完成できないが、あくまでも例えばの話しである。実際には、ユーザが電子書籍の既存機能を増加又は修正するプロセスを行う場合、プッシュキーを押したことによって生成された入力信号は、必ずしも２つに限らず、実際の需要に応じて入力信号個数と入力信号処理プロセス回数を決めなければならない。
【００７７】
　図１５は、本発明の他の実施例である省電力化電子装置の基本システム組織構造を示す。図４に示すように、本発明の省電力化電子装置２”の他の実施例である基本システム組織構造を示す。図に示すように、本実施例である省電力化電子装置２”の電子書籍リーダー２０’は、入力ユニット２１、トリガモジュール２２’、マイクロプロセッサ又は中央処理装置を有するシステムボードモジュール２３、通信ポート２４、ブックカードインタフェース２５、電源モジュール２６、システムボードモジュール電源スイッチ２７、ディスプレイ制御スイッチ２８と表示ユニット２９を含む。ここで、該入力ユニット２１はプッシュキー又はキーボードで、表示ユニット２９はコレステリック（Ｃｈｏｌｅｓｔｅｒｉｃ）液晶ディスプレイ、快速モード（Ｆａｓｔ　Ｍｏｄｅ）液晶ディスプレイ、電子シート（Ｅ−ｐａｐｅｒ）型ディスプレイ、又は電子インク（Ｅ−ｉｎｋ）型ディスプレイでる。
【００７８】
　説明を簡単にするために、本実施例の省電力化電子装置２”と上記の図４の省電力化電子装置２の組織構造とが大体同じであり、異なるのはブックカードインタフェース２５、通信ポート２４とシステムボードモジュール２３との作動関係であるので、同じ部分である作動関係の説明を省略する。
【００７９】
　トリガモジュール２２’はトリガ回路２２０と、ロジック制御回路２２１とを含む。該トリガモジュール２２’は電源モジュール２６から電源が常に供給され、所要の電流は約数十ｍＡである。トリガ回路２２０は入力ユニット２１又は通信ポート２４からの入力信号を受け取る役割をする。入力信号がトリガされた場合、トリガ回路２２０は制御パルスを生成して、この制御パルスをロジック制御回路２２１に転送する。トリガ回路２２’がトリガ状態において、ロジック制御回路２２１はトリガ回路２２０からの制御パルスを受け取った後に、システムボードモジュール電源スイッチ２７をオンにさせ、電源モジュール２６がシステムボードモジュール電源スイッチ２７により、電源をマイクロプロセッサ又は中央処理装置を有するシステムボードモジュール２３とブックカードインタフェース２５に供給できるようにし、マイクロプロセッサ又は中央処理装置、ブックカードインタフェース２５をフルスピードで作動させる。トリガパルスが終了する前に、マイクロプロセッサ又は中央処理装置は制御信号をロジック制御回路２２１に転送し、システムボードモジュール電源スイッチ２７を安定的にオンにすることができる。入力信号が終了した場合、トリガ回路２２０の制御パルスも終了する。マイクロプロセッサ又は中央処理装置は入力信号の終了を検知した場合、ロジック制御回路２２１に転送された制御信号を終了させる。トリガ回路２２０の制御パルス信号がなく、マイクロプロセッサ又は中央処理装置から送られた制御信号がない場合、ロジック制御回路２２１はシステムボードモジュール電源スイッチ２７をオンにすることができなくなるようにし、電源がシステムボードモジュール３３に転送できなくなり、マイクロプロセッサ又は中央処理装置、ブックカードインタフェース２５がスリープ状態ではなく完全なシャットダウン状態となる。
【００８０】
　該マイクロプロセッサ又は中央処理装置を有するシステムボードモジュール２３は、さらにメモリモジュール２３０を有し、システムボードモジュール２３が電源の供給を得て、マイクロプロセッサ又は中央処理装置がフルスピードで作動する場合、マイクロプロセッサ又は中央処理装置はこの押されたプッシュキーの作動によって生成された入力信号或は通信ポート２４からの入力信号を読み取り、入力信号が存在する場合のみ、フルスピードで作動する。マイクロプロセッサ又は中央処理装置は、ユーザによって押された異なるプッシュキー、或は通信ポート２４からの異なる入力信号に応じて、電子書籍リーダー２０’のメモリモジュール２３０におけるデータ・情報を読み取り、かつ、通信ポート２４からの入力データ・ファイル、或はブックカードインタフェース２５により電子書籍リーダー２０’に挿入されたブックカード３０におけるデータ・ファイルを読み取り、かつ読み取られたデータ・ファイルを電子書籍リーダー２０’の表示ユニット２９のディスプレイに表示させ、かつ読み取ったデータ・ファイルをメモリモジュール２３０内に保存できる。システムボードモジュール２３はさらに、メモリモジュール２３０におけるプログラムを行い、或はシステムボードモジュール２３は挿入されたブックカード３０に合わせて、ブックカード３０におけるプログラムを行い、或はブックカードインタフェース２５によりブックカード３０におけるプログラムを読取り、ブックカード３０におけるプログラムをメモリモジュール２３０にローディングし、或は通信ポート２４により外部からプログラムをメモリモジュール２３０にローディングし保存する。この電子書籍リーダー２０’が既存機能を増加又は修正しようとする場合、通信ポート２４によりプログラムを外部から電子書籍リーダー２０’に入力でき、或はユーザがプログラムのあるブックカード３０を電子書籍リーダー２０’に挿入でき、システムプログラム又はその他の機能プログラムをメモリモジュール２３０に書き込み、或はシステムボードモジュール２３がプログラムのあるブックカード３０に合わせて電子書籍リーダー２０’の既存機能を増加又は修正することができる。入力信号にトリガされた場合、トリガ回路２２０がトリガされ、制御パルスが生成され、電源モジュール２６が電源をマイクロプロセッサ又は中央処理装置を有するシステムボードモジュール２３に供給でき、マイクロプロセッサ又は中央処理装置、ブックカードインタフェース２５をフルスピードで作動させることができる。入力信号が終了した、電源がマイクロプロセッサ又は中央処理装置を有するシステムボードモジュール２３に送られなくなる場合、マイクロプロセッサ又は中央処理装置、ブックカードインタフェース２５はスリープ状態ではなく完全なシャットダウン状態となる。
【００８１】
　通信ポート２４は、システムボードモジュール２３がフルスピードで作動している場合、外部からの信号を有線転送又は無線転送により、電子書籍リーダー２０’のシステムボードモジュール２３に転送でき、トリガモジュール２２がスタートしていない場合、入力ユニットには入力信号がなく、入力信号が通信ポート２４によりトリガ回路２２０に転送された場合、入力信号がトリガされたもとで、トリガ回路２２０は制御パルスを生成して、この制御パルスをロジック制御回路２２１に転送する。トリガ回路２２がトリガ状態において、ロジック制御回路２２１はトリガ回路２２０からの制御パルスを受け取った後に、システムボードモジュール電源スイッチ２７をオンにさせ、電源モジュール２６がシステムボードモジュール電源スイッチ２７により、電源をマイクロプロセッサ又は中央処理装置を有するシステムボードモジュール２３、ブックカードインタフェース２５に供給でき、マイクロプロセッサ又は中央処理装置、ブックカードインタフェース２５をフルスピードで作動させることができる。システムボードモジュール２３、ブックカードインタフェース２５がフルスピードで作動している場合、システムボードモジュール２３は通信ポート２４によりデータ、ファイル、プログラムを入力でき、データ、ファイル、プログラムをそのメモリモジュール２３０に保存できる。
【００８２】
　ブックカードインタフェース２５は、システムボードモジュール２３、ブックカードインタフェース２５がフルスピードで作動している場合、システムボードモジュール２３がこのブックカードインタフェース２５により、ブックカード３０におけるデータ、ファイル、プログラムをにアクセスできる。システムボードモジュール２３はブックカードインタフェース２５によりブックカード３０におけるプログラムを読み取り、実行する。システムボードモジュール２３はさらに、ブックカード３０におけるデータ、ファイル、プログラムをそのメモリモジュール２３０にローディングできる。この電子書籍リーダー２０’の既存機能を増加又は修正しようとする場合、ユーザはプログラムのあるブックカード３０を電子書籍リーダー２０’に挿入でき、ブックカードインタフェース２５によりブックカード３０におけるプログラムをメモリモジュール２３０に書き込み、或はプログラムのあるブックカード３０が電子書籍リーダー２０’のシステムボードモジュール２３に合わせることで、電子書籍リーダー２０’の既存機能を増加又は修正することができる。
【００８３】
　図１６は、図１５の省電力化電子装置を応用して、電子書籍閲読方法を行う操作フローのプロセスを示す。ここで、ユーザは電子書籍閲読方法を行うプロセスにおいて、電子書籍リーダー２０’を利用して文章１の３ページのすべての内容を閲読する。その中、電子書籍リーダー２０’の入力ユニット２１はプッシュキー方式であって、表示ユニット２９はコレステリック（Ｃｈｏｌｅｓｔｅｒｉｃ）液晶ディスプレイである。
【００８４】
　電子書籍リーダー２０’により電子書籍閲読の方法を行う場合、まずは、ステップ４０１において、ユーザは電子書籍リーダー２０’の閲読機能の操作手順によって、先に入力ユニット２１における１つ又は１つ以上のプッシュキーを押し、閲読フローをスタートして、ステップ４０２に入る。
【００８５】
　ステップ４０２において、押されたプッシュキーは第１の入力信号を生成する。この第１の信号のプッシュキーに対応する機能が電子書籍リーダー２０’のメモリモジュール２３０におけるデータ、ファイルを読み取り、この読み取ったデータ、ファイルの目録を電子書籍リーダー２０’の表示ユニット２９のスクリーンに表示する。ここで、この押されたプッシュキーによって生成された第１の入力信号に対して、図５に示すそれぞれの入力信号に対する処理プロセスを行う。この第１の入力信号の処理プロセスにおいて、システムボードモジュール２３におけるマイクロプロセッサ又は中央処理装置はメモリモジュール２３０におけるデータ、ファイルを読み取り、信号を表示ユニット２９に出力し、表示ユニット２９のスクリーン上にデータ、ファイル目録画面が現れ、第１の入力信号がシステムボードモジュール２３によって処理・完成された後に、システムボードモジュール２３及び表示ユニット２９は完全にシャットダウンとなる。表示ユニット２９はコレステリック（Ｃｈｏｌｅｓｔｅｒｉｃ）液晶ディスプレイであるため、たとえ完全にシャットダウンとなっても、物理特性の関係で、コレステリック（Ｃｈｏｌｅｓｔｅｒｉｃ）液晶ディスプレイのスクリーン上にはデータ、ファイル目録画面の画像が図１９（Ａ）に示すように残存している。即ち、ユーザは１つ又は１つ以上のプッシュキーを押した後に、この押されたプッシュキーによって生成された第１の入力信号に対して、図５に示すそれぞれの入力信号に対する処理プロセスを行い、データ、ファイル目録画面をコレステリック（ｃｈｏｌｅｓｔｅｒｉｃ）液晶ディスプレイのスクリーン上に表示させる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンにはまだユーザの見るためのデータ、ファイル目録画面の画像が残存している。図１９（Ａ）に示すように、コレステリック（Ｃｈｏｌｅｓｔｅｒｉｃ）液晶ディスプレイのスクリーンに残存している画像にはユーザが更なるプッシュキーを押す選択動作ができるようにデータ、ファイルの目録が現れ、第１の入力信号処理プロセスが終了した後に、コレステリック（Ｃｈｏｌｅｓｔｅｒｉｃ）液晶ディスプレイのスクリーンにデータ、ファイル目録画面が残存している。この場合、電子書籍リーダー２０’はシャットダウン状態となり、ステップ４０３に入る。
【００８６】
　ステップ４０３において、ユーザは図１９（Ａ）に示すデータ、ファイル目録画面によって、１つ又は１つ以上のプッシュキーを押して、文章１の閲読を選択して、ステップ４０４に入る。
【００８７】
　ステップ４０４において、押されたプッシュキーは第２の入力信号を生成して、この第２の入力信号に対応するプッシュキーの機能は、電子書籍リーダー２０’のメモリモジュール２３０における文章１の第１ページの内容を読み取り、この読み取られた文章１の第１ページの内容を電子書籍リーダー２０’の表示ユニット２９のスクリーン上に表示させる。ここで、この押されたプッシュキーによって生成された第２の入力信号に対して、図５に示すそれぞれの入力信号に対する処理プロセスを行う。この第２の入力信号の処理プロセスにおいて、システムボードモジュール２３におけるマイクロプロセッサ又は中央処理装置はメモリモジュール２３０における文章１の第１ページの内容を読み取り、信号を表示ユニット２９に出力する。表示ユニット２９のスクリーン上には文章１の第１ページの内容が現れる。図１９（Ｂ）に示すように、この第２の入力信号がシステムボードモジュール２３に処理された後に、システムボードモジュール２３及び表示ユニット２９は完全にシャットダウンとなり、表示ユニット２９はコレステリック（Ｃｈｏｌｅｓｔｅｒｉｃ）液晶ディスプレイであるため、たとえ完全にシャットダウンとなっても、物理特性の関係で、コレステリック（Ｃｈｏｌｅｓｔｅｒｉｃ）液晶ディスプレイのスクリーン上には文章１の第１ページの内容が図１９（Ｂ）に示すように残存している。即ち、ユーザはプッシュキーを押した後に、この押されたプッシュキーによって生成された第２の入力信号に対して、図５に示すそれぞれの入力信号に対する処理プロセスを行い、関連データ、ファイル画面をコレステリック（Ｃｈｏｌｅｓｔｅｒｉｃ）液晶ディスプレイのスクリーン上に表示させる。コレステリック（Ｃｈｏｌｅｓｔｅｒｉｃ）液晶ディスプレイの物理特性の関係で、入力信号の処理プロセスが終了した後、システムボードモジュール２３と表示ユニット２９は完全なシャットダウン状態となるが、コレステリック（Ｃｈｏｌｅｓｔｅｒｉｃ）液晶ディスプレイのスクリーンには図１９（Ｂ）に示すようにまだユーザの見るための文章１の第１ページの画面画像が残存しており、ユーザは更なるプッシュキーを押す選択動作が続けられる。第２の入力信号のプロセスが終了した後に、コレステリック（Ｃｈｏｌｅｓｔｅｒｉｃ）液晶ディスプレイのスクリーンに文章１の第１ページの内容画面が残存しており、ユーザはこれによって閲読できる。この場合、電子書籍リーダー２０’はシャットダウン状態となり、ステップ４０５に入る。
【００８８】
　ステップ４０５において、ユーザは文章１の第１ページの内容を読み終えた後に、１つ又は１つ以上のプッシュキーを押して、文章１の第２ページの内容の閲読を行い、ステップ４０６に入る。
【００８９】
　ステップ４０６において、押されたプッシュキーは第３の入力信号を生成して、この第３の入力信号に対応するプッシュキーの機能は電子書籍リーダー２０’のメモリモジュール２３０における文章１の第２ページの内容を読み取り、読み取られた文章１の第２ページの内容を電子書籍リーダー２０’の表示ユニット２９のスクリーン上に表示させる。ここで、この押されたプッシュキーによって生成された第３の入力信号に対して、図５に示すそれぞれの入力信号に対する処理プロセスを行う。この第３の入力信号の処理プロセスにおいては、システムボードモジュール２３におけるマイクロプロセッサ又は中央処理装置はメモリモジュール２３０における文章１の第２ページの内容を読み取り、信号を表示ユニット２９に出力する。表示ユニット２９のスクリーン上には図１９（Ｃ）に示すように、文章１の第２ページの内容画面が現れる。この第３の入力信号がシステムボードモジュール２３によって処理された後に、システムボードモジュール２３及び表示ユニット２９は完全にシャットダウンとなる。表示ユニット２９はコレステリック（Ｃｈｏｌｅｓｔｅｒｉｃ）液晶ディスプレイであるため、たとえ完全にシャットダウンとなっても、物理特性の関係で、コレステリック（Ｃｈｏｌｅｓｔｅｒｉｃ）液晶ディスプレイのスクリーン上には文章１の第２ページの画面画像が残存している。残存の画像は図１９（Ｃ）に示されるように、コレステリック（Ｃｈｏｌｅｓｔｅｒｉｃ）液晶ディスプレイのスクリーン上には文章１の第２ページの画面が現れる。即ち、ユーザがプッシュキーを押した後に、この押されたプッシュキーによって生成された第３の入力信号に対して、図５に示すそれぞれの入力信号に対する処理プロセスを行い、関連データ、ファイル画面をコレステリック（Ｃｈｏｌｅｓｔｅｒｉｃ）液晶ディスプレイのスクリーン上に表示させる。コレステリック（Ｃｈｏｌｅｓｔｅｒｉｃ）液晶ディスプレイの物理の特性の関係で、入力信号の処理プロセスが完成した後に、システムボードモジュール２３及び表示ユニット２９は完全にシャットダウンとなるが、コレステリック（Ｃｈｏｌｅｓｔｅｒｉｃ）液晶ディスプレイのスクリーン上にはまだユーザに情報を供給するための文章１の第２ページの画面画像が残存している。図１９（Ｃ）に示すように、コレステリック（Ｃｈｏｌｅｓｔｅｒｉｃ）液晶ディスプレイのスクリーン上に残存している画像にはユーザに閲読用として供給されるための文章１の第２ページの内容が表れ、更なるプッシュキーの選択動作を続けることもできる。第３の入力信号の処理プロセスが終了した後、コレステリック（Ｃｈｏｌｅｓｔｅｒｉｃ）液晶ディスプレイのスクリーン上にはユーザの閲読するための文章１の第２ページの内容画面が残存している。この場合、電子書籍リーダー２０’はシャットダウン状態となり、ステップ４０７に入る。
【００９０】
　ステップ４０７において、ユーザは文章１の第２ページの内容を読み終えた後に、１つ又は１つ以上のプッシュキーを押し、文章１の第３ページの内容の閲読を行い、ステップ４０８に入る。
【００９１】
　ステップ４０８において、押されたプッシュキーは第４の入力信号を生成して、この第４の入力信号に対応するプッシュキーの機能は、電子書籍リーダー２０’のメモリモジュール２３０における文章１の第３ページの内容を読み取り、読み取られた文章１の第３ページの内容を電子書籍リーダー２０’の表示ユニット２９のスクリーン上に表示させる。ここで、押された１つ又は１つ以上のプッシュキーによって生成された第４の入力信号に対して、図５に示すそれぞれの入力信号に対する処理プロセスを行う。この第４の入力信号の処理プロセスにおいて、システムボードモジュール２３におけるマイクロプロセッサ又は中央処理装置はメモリモジュール２３０における文章１の第３ページの内容を読み取り、信号を表示ユニット２９に出力する。表示ユニット２９のスクリーン上には、図１９（Ｄ）に示すように、文章１の第３ページの内容が現れる。この第４の入力信号がシステムボードモジュール２３によって処理された後に、システムボードモジュール２３及び表示ユニット２９は完全にシャットダウンとなる。表示ユニット２９はコレステリック（Ｃｈｏｌｅｓｔｅｒｉｃ）液晶ディスプレイであるため、たとえ完全にシャットダウンとなっても、物理特性の関係で、コレステリック（Ｃｈｏｌｅｓｔｅｒｉｃ）液晶ディスプレイのスクリーン上には文章１の第３ページの画面の画像が残存する。残存の画像は図１２（Ｄ）に示されるように、コレステリック（Ｃｈｏｌｅｓｔｅｒｉｃ）液晶ディスプレイのスクリーン上には文章１の第３ページの画面が現れる。即ち、ユーザがプッシュキーを押した後に、この押されたプッシュキーによって生成された第４の入力信号に対して、図５に示すそれぞれの入力信号に対する処理プロセスを行い、関連データ、ファイル画面をコレステリック（Ｃｈｏｌｅｓｔｅｒｉｃ）液晶ディスプレイのスクリーン上に表示させる。コレステリック（Ｃｈｏｌｅｓｔｅｒｉｃ）液晶ディスプレイの物理特性の関係で、入力信号の処理プロセスが終了した後に、システムボードモジュール２３及び表示ユニット２９は完全にシャットダウンとなるが、コレステリック（Ｃｈｏｌｅｓｔｅｒｉｃ）液晶ディスプレイのスクリーン上にはユーザに情報を供給するための文章１の第３ページの画面画像が残存している。図１９（Ｄ）に示すように、コレステリック（Ｃｈｏｌｅｓｔｅｒｉｃ）液晶ディスプレイのスクリーン上に残存している画像にはユーザが閲読するための文章１の第３ページの内容が現れる。第４の入力信号の処理プロセスが終了した後に、コレステリック（Ｃｈｏｌｅｓｔｅｒｉｃ）液晶ディスプレイのスクリーン上には図１９（Ｄ）に示すように、文章１の第３ページの内容画面が残存しており、ユーザは閲読を行うことができる。この場合、電子書籍リーダー２０’がシャットダウン状態となり、このステップまでで、ユーザは文章１の第３ページを閲読する動作を完成して、電子書籍リーダー閲読方法のプロセスを終了する。
【００９２】
　この電子書籍閲読方法のプロセスにおいて、ユーザがプッシュキーを押したことによって生成された入力信号は４つで、入力信号のプロセスも４回あるが、あくまでも例えにすぎない。実際には、ユーザが電子書籍閲読方法のプロセスを行っている場合、押されたプッシュキーによって生成された入力信号は必ずしも４つに限らず、実際の需要に応じて入力信号の個数及び入力信号の処理プロセスの回数を決めなければならない。
【００９３】
　図１７は、図１５の省電力化電子装置を応用して、電子書籍プログラムの方法による操作フローを行う場合のプロセスを示す。ここで、電子書籍リーダー２０’を利用して、電子書籍プログラムの方法を行い、ユーザは電子書籍リーダー２０’のプログラム機能に応じて操作の手順を行い、画像の処理プログラムを行う場合、電子書籍リーダー２０’における画像処理プログラムの機能を行う操作手順に応じて、順次に入力ユニット２１のプッシュキーを押して、これらの順序によって押されたプッシュキーによって生成された入力信号に対して、順序通りによってそれぞれの入力信号に処理を行い、この画像処理プログラムの実施プロセスを完成する。その中で、入力ユニット２１はキーボードで、表示ユニット２９はＦＭ（Ｆａｓｔ　Ｍｏｄｅ）コレステリック（Ｃｈｏｌｅｓｔｅｒｉｃ）液晶ディスプレイである。
【００９４】
　電子書籍リーダー２０’を利用して電子書籍画像処理プロセスの方法を行う場合、まずは、ステップ５０１において、ユーザは電子書籍リーダー２０’の画像処理プログラム機能の実施操作手順に従って、先に入力ユニット２１のキーボードにおける１つ又は１つ以上のプッシュキーを押して、画像処理プログラムを行うフローをスタートして、ステップ５０２に入る。
【００９５】
　ステップ５０２において、押されたプッシュキーは第１の入力信号を生成して、この押されたプッシュキーによって生成された第１の入力信号に対して、図５に示すそれぞれの入力信号に対する処理プロセスを行う。この処理プロセスにおいて、システムボードモジュール２３は挿入されたブックカード３０に合わせて、ブックカード３０における画像処理プログラムを行う第１のプロセスステップをスタートする。この動作において、システムボードモジュール２３はブックカードインタフェース２５によりブックカード３０における画像処理プログラムの第１のプロセスステップを読取り、実行する。画像処理プログラムの第１のプロセスステップが終了した後、表示ユニット２９には図２０（Ａ）に示す画面が現れる。図に示すように、ユーザが選択できるよう提供できる画像ファイルの名称にはｐｅｏｐｌｅ、ａｎｉｍａｌ、ｖｉｅｗがあり、これらのｐｅｏｐｌｅ、ａｎｉｍａｌ、ｖｉｅｗファイルはもともとシステムボードモジュール２３におけるメモリモジュール２３０又はブックカード３０に保存されており、この第１の入力信号の処理プロセスが終了した後に、電子書籍リーダー２０’のシステムボードモジュール２３及び表示ユニット２９は完全にシャットダウンとなり、ＦＭコレステリック（Ｃｈｏｌｅｓｔｅｒｉｃ）液晶ディスプレイの物理特性の関係で、入力信号の処理プロセスが終了した後に、システムボードモジュール２３及び表示ユニット２９は完全なシャットダウン状態であるが、ＦＭコレステリック（Ｃｈｏｌｅｓｔｅｒｉｃ）液晶ディスプレイのスクリーン上には図２０（Ａ）に示すように、ユーザに情報を提供するための第１のプロセスステップが完成した後の画面画像が残存している。そして、ステップ５０３に入る。
【００９６】
　ステップ５０３において、ユーザが電子書籍リーダー２０’の表示ユニット２９のスクリーン上に図２０（Ａ）に示すように、残存している画像に基づいて選択できるファイルにはｐｅｏｐｌｅ、ａｎｉｍａｌ、ｖｉｅｗがあり、ここで、ユーザが選択するファイルをｖｉｅｗとすると、ユーザは入力ユニット２１における１つ又は１つ以上のプッシュキーを押して、ファイルｖｉｅｗを選択して、画像処理プロセスのフローを行いつづけ、ステップ５０４に入る。
【００９７】
　ステップ５０４において、ユーザが押したプッシュキーは第２の入力信号を生成して、この押されたプッシュキーから生成された第２の入力信号に対して、図５に示すそれぞれの入力信号の処理プロセスを行い、この処理プロセスにおいて、システムボードモジュール２３は挿入されたブックカード３０に合わせて、ブックカード３０における画像処理プログラムの第２のプロセスステップを行う。この第２のプロセスステップにおいて、システムボードモジュール２３はｖｉｅｗファイルを読み取り、ブックカード３０における画像処理プログラムの第２のプロセスステップを行う。この画像処理プログラムは画像ファイルｖｉｅｗに処理を行い、画像処理プログラムの第２のプロセスステップによって処理された画像ファイルｖｉｅｗであるデータ情報を図２０（Ｂ）に示すように、表示ユニット２９のスクリーン上に表示させる。この第２の入力信号の処理プロセスが終了した後に、電子書籍リーダー２０’のシステムボードモジュール２３及び表示ユニット２９は完全にシャットダウンとなり、ＦＭコレステリック（Ｃｈｏｌｅｓｔｅｒｉｃ）液晶ディスプレイの物理特性の関係で入力信号の処理プロセスが終了した後に、システムボードモジュール２３及び表示ユニット２９は完全なシャットダウン状態であるが、ＦＭコレステリック（Ｃｈｏｌｅｓｔｅｒｉｃ）液晶ディスプレイのスクリーン上にはまだ図２０（Ｂ）に示すユーザの見るための画像が残存している。そして、ステップ５０５に入る。
【００９８】
　ステップ５０５において、ユーザは電子書籍リーダー２０’の表示ユニット２９のスクリーン上に図２０（Ｂ）に示すように、残存している画像に応じて、表示ユニット２９に表示された画像画面に拡大処理を行う。ユーザは入力ユニット２１における１つ又は１つ以上のプッシュキーを押して、画像の拡大処理を行い、画像処理プログラムのフローの実施を行い続け、ステップ５０６に入る。
【００９９】
　ステップ５０６において、ユーザが押したプッシュキーは第３の入力信号を生成して、この押されたプッシュキーから生成された第３の入力信号に対して、図５に示すそれぞれの入力信号の処理プロセスを行い、この処理プロセスにおいて、システムボードモジュール２３は挿入されたブックカード３０に合わせて、ブックカード３０における画像処理プログラムの第３のプロセスステップを行う。この第３のプロセスステップにおいて、表示ユニット２９の画面上には画像の拡大できる割合が表示されている。図２０（Ｃ）に示すように、拡大できる割合は１００％、１１０％、１２０％、１３０％があり、この第３の入力信号の処理プロセスが終了した後に、電子書籍リーダー２０’のシステムボードモジュール２３及び表示ユニット２９は完全にシャットダウンとなる。コレステリック（Ｃｈｏｌｅｓｔｅｒｉｃ）液晶ディスプレイの物理特性の関係で、入力信号の処理プロセスが完成した後に、システムボードモジュール２３及び表示ユニット２９は完全なシャットダウン状態となるが、ＦＭコレステリック（Ｃｈｏｌｅｓｔｅｒｉｃ）液晶ディスプレイのスクリーンにはまだ図２０（Ｃ）に示すユーザの見るための画像が残存している。そして、ステップ５０７に入る。
【０１００】
　ステップ５０７において、ユーザは電子書籍リーダー２０’の表示ユニット２９のスクリーン上に図２０（Ｂ）に示すように、残存している画像に応じて、ｖｉｅｗ画像画面に対し１１０％拡大処理を行う。ユーザは入力ユニット２１のプッシュキーの１つ又は１つ以上のプッシュキーを押して、画像の１１０％拡大の処理を行い、画像処理プログラムのフローの実施を行い続け、ステップ５０８に入る。
【０１０１】
　ステップ５０８において、ユーザが押したプッシュキーは第４の入力信号を生成して、この押されたプッシュキーから生成された第４の入力信号に対して、図５に示すそれぞれの入力信号の処理プロセスを行い、この処理プロセスにおいて、システムボードモジュール２３は挿入されたブックカード３０に合わせて、ブックカード３０における画像処理プログラムの第４のプロセスステップを行う。この第４のプロセスステップにおいて、画像ｖｉｅｗファイルの画面内容を本来の画面内容より１１０％拡大する処理を行い、それを表示ユニット２９の画面上に表示させる。図２０（Ｄ）に示すように、拡大された画像は、画像の中心点より外の方向に向って、上、下、左、右の方向に延び同じ割合で画像を表示させる。画像が表示ユニット２９の表示できる画像フレームの範囲を超えれば表示されない。拡大された範囲は図２０（Ｄ）に示す通りである。この第４の入力信号の処理プロセスが終了した後に、電子書籍リーダー２０’のシステムボードモジュール２３及び表示ユニット２９は完全にシャットダウンとなる。ＦＭコレステリック（Ｃｈｏｌｅｓｔｅｒｉｃ）液晶ディスプレイの物理特性の関係で、入力信号の処理プロセスが完成した後に、システムボードモジュール２３及び表示ユニット２９は完全なシャットダウン状態となったとしても、ＦＭコレステリック（Ｃｈｏｌｅｓｔｅｒｉｃ）液晶ディスプレイのスクリーンにはまだ図２０（Ｄ）に示すユーザの見るための拡大１１０％のｖｉｅｗ画像が残存している。ここで、ユーザは画像処理プログラムのプロセスを終了させることができ、或は画像ファイルに他の処理を行いたい場合、画像処理プログラムのプロセスを行い続けることができる。
【０１０２】
　この電子書籍プログラム方法を行うプロセスにおいて、ユーザがプッシュキーを押した後に、この押されたことによって生成される入力信号は４つで、入力信号の処理プロセスも４回あるが、あくまでも例えにすぎない。実際には、ユーザが電子書籍プログラム方法のプロセスを行う場合、押されたプッシュキーによって生成された入力信号は必ずしも４つに限らず、実際の需要に応じて入力信号の個数及び入力信号の処理プロセスの回数を決めなければならない。
【０１０３】
　図１８は、図１５の省電力化電子装置を応用して、電子書籍の既存機能を増加する操作方法のフローを行うプロセスを示す。ここでは、電子書籍リーダー２０’を利用して電子書籍の既存機能を増加する方法を行う。ユーザは既存機能を増加する場合、電子書籍リーダー２０’の既存機能を増加する操作手順に応じて、順序の通りに入力信号を電子書籍リーダー２０’の外部から通信ポート２４を通じてシステムボードモジュール２３に転送する。システムボードモジュール２３は通信ポート２４から入力されたそれぞれの入力信号に、順序通り処理を行い、この既存機能を増加する操作プロセスを完成する。その中で、表示ユニット２９は電子インク（Ｅ−ｉｎｋ）型ディスプレイである。
【０１０４】
　電子書籍リーダー２０’を利用して、電子書籍の既存機能を増加する方法を行う場合、まずは、ステップ６０１において、ユーザは電子書籍リーダー２０’の既存機能を増加する操作手順に応じて、電子書籍に係る中国語の日本語への翻訳、及び日本語の中国語への翻訳機能の増加を完成する場合、先に外部から第１の入力信号を通信ポート２４により、システムボードモジュール２３に入力して、電子書籍機能増加のプロセスをスタートして、ステップ６０２に入る。
【０１０５】
　ステップ６０２において、この通信ポート２４からの第１の入力信号に対して、図５に示すそれぞれの入力信号の処理プロセスを行い、この処理プロセスにおいて、システムボードモジュール２３は電子書籍機能を行う第１のプロセスステップをスタートでき、第１のプロセスステップにおいて、システムボードモジュール２３は通信ポート２４からの第１の入力信号を処理して、処理された結果を表示ユニット２９の画面に表示させる。電子書籍機能を増加する第１のプロセスステップが完成した後に、表示ユニット２９には図２１（Ａ）に示す画面が現れる。図２１（Ａ）に示すように、ここで、ユーザが選択できるオプションは（１）中日翻訳、日中翻訳、（２）中国語→ロシア語翻訳、ロシア語→中国語翻訳、（３）中国語→ポルトガル語翻訳、ポルトガル語→中国語翻訳がある。この第１の入力信号の処理プロセスが完成した後に、電子書籍リーダー２０’のシステムボードモジュール２３及び表示ユニット２９は完全にシャットダウンとなる。電子インク（Ｅ−ｉｎｋ）型ディスプレイの物理特性の関係で、入力信号の処理プロセスが完成した後に、システムボードモジュール２３及び表示ユニット２９は完全にシャットダウンとなるが、電子インク（Ｅ−ｉｎｋ）型ディスプレイのスクリーン上にはユーザの見るための第１のプロセスステップが完成した後の画面の画像が図２１（Ａ）に示すように残存している。そして、ステップ６０３に入る。
【０１０６】
　ステップ６０３において、ユーザが電子書籍リーダー２０’の表示ユニット２９のスクリーン上に図２１（Ａ）に示すように、残存している画像に基づいて選択できるオプションは、（１）中日翻訳、日中翻訳、（２）中国語→ロシア語翻訳、ロシア語→中国語翻訳、（３）中国語→ポルトガル語翻訳、ポルトガル語→中国語翻訳、ポルトガル中翻訳がある。ここで、ユーザが選択した増加する電子書籍の機能が中日翻訳、日中翻訳の機能の増加だとすると、ユーザは外部から第２の入力信号を通信ポート２４によりシステムボードモジュール２３に入力して、電子書籍機能の増加のプロセスを行い続け、ステップ６０４に入る。
【０１０７】
　ステップ６０４において、通信ポート２４からの第２の入力信号に対して、図５に示すそれぞれの入力信号の処理プロセスを行い、この処理プロセスにおいて、システムボードモジュール２３は電子書籍機能の増加を行う第２のプロセスステップをスタートでき、第２のプロセスステップにおいて、システムボードモジュール２３は通信ポート２４からの第２の入力信号を処理して、処理された結果を表示ユニット２９の画面に表示させる。電子書籍機能の増加させる第２のプロセスステップが完成した後に、表示ユニット２９には図２１（Ｂ）に示す画面が現れる。図２１（Ｂ）からわかるように、ここで、ユーザが選択した機能増加のオプションの中日翻訳、日中翻訳の機能は既にシステムボードモジュール２３のメモリモジュール２３０に蓄積されている。即ち、この第２の入力信号の処理プロセスが完成した後に、中日翻訳、日中翻訳に必要なプログラムとデータベースをメモリモジュール２３０に保存する。この第２の入力信号の処理プロセスが完成した後に、電子書籍リーダー２０’のシステムボードモジュール２３及び表示ユニット２９は完全にシャットダウンとなる。電子インク（Ｅ−ｉｎｋ）型ディスプレイの物理特性の関係で、入力信号の処理プロセスが完成した後に、システムボードモジュール２３及び表示ユニット２９は完全にシャットダウンとなるが、電子インク（Ｅ−ｉｎｋ）型ディスプレイのスクリーン上には図２１（Ｂ）に示すように、ユーザの見るための第２のプロセスステップが完成した後の画面の画像が残存している。ここまでで、ユーザは電子書籍の中日翻訳、日中翻訳の機能増加のプロセスを完成し、電子書籍機能の増加のプロセスを終了でき、又は機能の増加のプロセスを行い続けることができる。
【０１０８】
　この電子書籍リーダーの既存機能を増加するプロセスにおいて、ユーザが電子書籍リーダー２０’の既存機能増加の操作手順により、中国語の日本語への翻訳と、日本語の中国語への翻訳の機能を増加する場合、通信ポート２４から２つの入力信号を入力して、入力信号の処理プロセスが２回あって、初めてこの機能増加プロセスを完成することができるが、これは、本発明を例示する目的で示すものであり、実際には、ユーザが電子書籍リーダーの既存機能を増加又は修正しようとする場合、プッシュキーが押されて生じた入力信号は２つに限らず、実際の需要に応じて入力信号個数と入力信号処理プロセス回数を決めなければならない。但し、上記は、単に本発明に係る具体的な実施例を説明するためのものであって、これらによって本発明の実施範囲が何ら限定されるものではない。本発明に係る実質的な技術内容は、広汎に下記の特許請求の範囲内に定義される。他人に完成された如何なる技術や方法は、下記の特許請求の範囲に定義されたものとまったく同然であり、又は同一であり、同等の効果となる変更であれば、特許請求の範囲に含まれる。
【図面の簡単な説明】
【０１０９】
【図１】図１は、システムブロック図であって従来の電子装置の基本組織構成を示す。
【図２】図２はシステムブロック図であって、本発明に係る省電力化電子装置の実施例の一つである基本組織構成を示す。
【図３】図３は作業フロー図であって、図２の省電力化電子装置を応用して、省電力化の方法を行うプロセスを示す。
【図４】図４はシステムブロック図であって、本発明の他の実施例である省電力化電子装置の基本組織構成を示す。
【図５】図５は作業フロー図であって、図４における省電力化電子装置を応用して、省電力化の方法を行うプロセスを示す。
【図６】図６は回路図であって、図４における省電力化電子装置のシステムボードモジュールの中央処理装置と入力ユニットとの回路接続の構成を示す。
【図７】図７は回路図であって、図４の省電力化電子装置のトリガ回路の回路構造を示す。
【図８】図８はタイミング図であって、図４の省電力化電子装置のトリガ回路の作業タイミングを示す。
【図９】図９は作業フロー図であって、図７の省電力化電子装置を応用したトリガ回路が中央処理装置に合わせた作業フローのプロセスを示す。
【図１０】図１０は外観イメージ図であって、本発明の他の実施例である省電力化電子装置の外観を示す。
【図１１】図１１はシステムブロック図であって、図１０の省電力化電子装置を応用した基本システム組織構造を示す。
【図１２】図１２は作業フロー図であって、図１１の省電力化電子装置を応用して、電子書籍方法を行う場合の操作フローのプロセスを示す。
【図１３】図１３は作業フロー図であって、図１１の省電力化電子装置を応用して、電子書籍方法の操作フローを行う場合の他のプロセスを示す。
【図１４】図１４は作業フロー図であって、図１１の省電力化電子装置に応用され、電子書籍方法の操作フローを行う他のプロセスを示す。
【図１５】図１５はシステムブロック図であって、本発明の他の実施例である省電力化電子装置の基本システム組織構造を示す。
【図１６】図１６は作業フロー図であって、図１５の省電力化電子装置を応用して、電子書籍閲読方法を行う操作フローのプロセスを示す。
【図１７】図１７は作業フロー図であって、図１５の省電力化電子装置を応用して、電子書籍プログラムの方法による操作フローを行う場合のプロセスを示す。
【図１８】図１８は作業フロー図であって、図１５の省電力化電子装置を応用して、電子書籍の既存機能を増加する方法の操作フローを行うプロセスを示す。
【図１９】図１９はイメージ図であって、（Ａ）〜（Ｄ）は、それぞれデータ、ファイル目録画面、文章１の第１ページ画面、文章１の第２ページ画面、及び文章１の第３ページ画面を示す。
【図２０】図２０はイメージ図であって、（Ａ）〜（Ｄ）は、それぞれ画像ファイル名称画面、選ばれた画像ファイル画面ファイル目録画面、画像ファイル拡大割合項目画面、及び画像が拡大された画面を示す。
【図２１】図２１はイメージ図であって、（Ａ）、（Ｂ）は、それぞれ機能増加項目画面、及びダウンロードを完成し、成功した機能増加画面を示す。
【符号の説明】
【０１１０】
　１　電子装置
　１１　システム制御ユニット
　１２　電源ユニット
　１３　表示ユニット
　１４　入力ユニット
　２、２’　省電力化電子装置
　３、２１　入力ユニット
　４、２２、２２’　トリガモジュール
　４１、２２０　トリガ回路
　４２、２２１　ロジック制御回路
　５、２３　システムボードモジュール
　６、２６　電源モジュール
　７、２７　システムボードモジュール電源スイッチ
　８、２８　ディスプレイ制御スイッチ
　９、２９　表示ユニット
　２０、２０’　電子書籍リーダー
　２４　通信ポート
　２５　ブックカードインタフェース
　３０　ブックカード
　２００　カードスロット
　２３０　メモリモジュール
　Ｃ　容量
　ＩＮＴ０、ＩＮＴ１、ＩＮＴ２　中断信号
　ｋ０、ｋ１、ｋ２　中央処理装置のピン
　Ｒ、Ｒ１、Ｒ２、Ｒ３　抵抗
【図１】
2004139580.tif 000003
【図２】
2004139580.tif 000004
【図３】
2004139580.tif 000005
【図４】
2004139580.tif 000006
【図５】
2004139580.tif 000007
【図６】
2004139580.tif 000008
【図７】
2004139580.tif 000009
【図８】
2004139580.tif 000010
【図９】
2004139580.tif 000011
【図１０】
2004139580.tif 000012
【図１１】
2004139580.tif 000013
【図１２】
2004139580.tif 000014
【図１３】
2004139580.tif 000015
【図１４】
2004139580.tif 000016
【図１５】
2004139580.tif 000017
【図１６】
2004139580.tif 000018
【図１７】
2004139580.tif 000019
【図１８】
2004139580.tif 000020
【図１９】
2004139580.tif 000021
【図２０】
2004139580.tif 000022
【図２１】
2004139580.tif 000023